(57)【要約】【課題】  送信側の画像処理装置と受信側の画像処理装置との間の伝送路におけるデータ転送量の増加を抑制する。【解決手段】  送信側の画像処理装置は、画像を複数の周波数帯域に分割して分割データを生成する分割部と、複数の周波数帯域毎に、分割データを符号化して符号化データを生成する符号化部と、受信側の画像処理装置からの画質の変更を要求する変更要求に応答して、複数の周波数帯域のうち、所定の周波数帯域より高い高周波数帯域から、変更要求により要求された画質に対応する周波数帯域を選択する選択部と、高周波数帯域より低い低周波数帯域の符号化データが受信側の画像処理装置に送信された後に、選択部が変更要求を受けた場合、選択部により選択された周波数帯域の符号化データを受信側の画像処理装置に送信する送信部とを有する。【選択図】  図１
2017228902.tif 000002
【特許請求の範囲】
【請求項１】
画像を受信側の画像処理装置に送信する画像処理装置において、
画像を複数の周波数帯域に分割して分割データを生成する分割部と、
前記複数の周波数帯域毎に、分割データを符号化して符号化データを生成する符号化部と、
前記受信側の画像処理装置からの画質の変更を要求する変更要求に応答して、前記複数の周波数帯域のうち、所定の周波数帯域より高い高周波数帯域から、前記変更要求により要求された画質に対応する周波数帯域を選択する選択部と、
前記高周波数帯域より低い低周波数帯域の符号化データが前記受信側の画像処理装置に送信された後に、前記選択部が前記変更要求を受けた場合、前記選択部により選択された周波数帯域の符号化データを前記受信側の画像処理装置に送信する送信部と
を有することを特徴とする画像処理装置。
【請求項２】
請求項１に記載の画像処理装置において、
前記低周波数帯域は、前記複数の周波数帯域のうちの最も低い周波数帯域である
ことを特徴とする画像処理装置。
【請求項３】
請求項１または請求項２に記載の画像処理装置において、
前記変更要求で画質が変更される領域を示す領域情報を前記受信側の画像処理装置から受けた場合、前記高周波数帯域における前記領域の分割データを抽出する抽出部をさらに有し、
前記符号化部は、前記抽出部が前記領域情報を受けた場合、前記抽出部により抽出された前記領域の分割データを符号化する
ことを特徴とする画像処理装置。
【請求項４】
請求項１ないし請求項３のいずれか１項に記載の画像処理装置において、
前記符号化部は、前記選択部が前記変更要求を受けるまで、前記高周波数帯域の分割データを符号化する処理を待機し、前記選択部が前記変更要求を受けた場合、前記高周波数帯域の分割データを周波数帯域毎に符号化して符号化データを生成する
ことを特徴とする画像処理装置。
【請求項５】
請求項１ないし請求項４のいずれか１項に記載の画像処理装置において、
前記受信側の画像処理装置に送信する符号化データのうち、前記高周波数帯域の符号化データを暗号化する暗号化部をさらに有する
ことを特徴とする画像処理装置。
【請求項６】
画像を受信側の画像処理装置に送信する画像処理装置において、
画像を複数の周波数帯域に分割して分割データを生成する分割部と、
前記複数の周波数帯域毎に、分割データを符号化して符号化データを生成する符号化部と、
前記複数の周波数帯域を周波数帯域が低い順に複数の伝送路のうちの高速な伝送路に割り当てる割り当て部と、
前記複数の周波数帯域の符号化データを、前記割り当て部により割り当てられた前記複数の伝送路を用いて、前記受信側の画像処理装置に送信する送信部と
を有することを特徴とする画像処理装置。
【請求項７】
送信側の画像処理装置から送信された画像を表示画面に表示する画像処理装置において、
画像を複数の周波数帯域に分割した分割データを符号化して生成される複数の周波数帯域の符号化データのうちの少なくともいずれかを前記送信側の画像処理装置から受ける受信部と、
前記受信部が受けた符号化データを分割データに復号する復号部と、
前記表示画面に表示された画像の画質を変更する場合、画質の変更を要求する変更要求を前記送信側の画像処理装置に出力する変更要求部と、
前記複数の周波数帯域のうちの所定の周波数帯域より低い低周波数帯域の符号化データを復号して生成された分割データを用いて第１の画像を生成し、該第１の画像を生成した後に、前記変更要求部が前記変更要求を前記送信側の画像処理装置に出力したことに応答して前記送信側の画像処理装置から送信される前記低周波数帯域より高い高周波数帯域の符号化データを前記受信部が受けた場合、前記高周波数帯域の符号化データを復号して生成された分割データと前記低周波数帯域の分割データとを用いて第２の画像を生成する画像生成部と、
前記第１の画像を前記表示画面に表示し、前記第１の画像を前記表示画面に表示した後に、前記第２の画像が生成された場合、前記第２の画像を前記表示画面に表示する表示制御部と
を有することを特徴とする画像処理装置。
【請求項８】
請求項７に記載の画像処理装置において、
前記第２の画像を前記第１の画像に合成して合成画像を生成する合成部と、
前記第１の画像内の一部の領域に対する画質の変更を前記変更要求部が要求する場合、前記低周波数帯域の分割データから前記一部の領域に対応する分割データを抽出する抽出部とをさらに有し、
前記変更要求部は、前記一部の領域に対する画質の変更を要求する場合、前記一部の領域を示す領域情報を前記変更要求とともに前記送信側の画像処理装置に出力し、
前記受信部は、前記変更要求および前記領域情報に基づいて前記送信側の画像処理装置から送信される前記高周波数帯域における前記一部の領域の符号化データを受け、
前記復号部は、前記受信部が前記高周波数帯域における前記一部の領域の符号化データを前記送信側の画像処理装置から受けた場合、前記高周波数帯域における前記一部の領域の符号化データを復号し、
前記画像生成部は、前記第２の画像として前記一部の領域の画像を、前記低周波数帯域における前記一部の領域の分割データと前記高周波数帯域における前記一部の領域の分割データとを用いて生成し、
前記表示制御部は、前記第２の画像が生成された場合、前記合成画像を前記表示画面に表示する
ことを特徴とする画像処理装置。
【請求項９】
請求項８に記載の画像処理装置において、
前記変更要求部が前記変更要求を前記送信側の画像処理装置に出力した場合、前記第１の画像における前記一部の領域のサイズが前記第２の画像のサイズに合うように、前記第１の画像を拡大する拡大部をさらに有し、
前記合成部は、前記第２の画像を拡大後の前記第１の画像に合成して前記合成画像を生成する
ことを特徴とする画像処理装置。
【請求項１０】
請求項７ないし請求項９のいずれか１項に記載の画像処理装置において、
前記複数の周波数帯域のうちの前記高周波数帯域の符号化データは、暗号化されて前記送信側の画像処理装置から送信され、
前記送信側の画像処理装置から暗号化されて送信された符号化データの暗号を解除する解除部をさらに有する
ことを特徴とする画像処理装置。
【請求項１１】
画像を受信側の画像処理装置に送信する画像処理方法において、
画像を複数の周波数帯域に分割して分割データを生成し、
前記複数の周波数帯域毎に、分割データを符号化して符号化データを生成し、
前記複数の周波数帯域のうちの所定の周波数帯域より低い低周波数帯域の符号化データを前記受信側の画像処理装置に送信し、
前記受信側の画像処理装置からの画質の変更を要求する変更要求に応答して、前記複数の周波数帯域のうち、前記低周波数帯域より高い周波数帯域を選択対象として、前記変更要求により要求された画質に対応する周波数帯域を選択し、
選択した周波数帯域の符号化データを前記受信側の画像処理装置に送信する
ことを特徴とする画像処理方法。
【請求項１２】
画像を受信側の画像処理装置に複数の伝送路を用いて送信する画像処理方法において、
画像を複数の周波数帯域に分割して分割データを生成し、
前記複数の周波数帯域毎に、分割データを符号化して符号化データを生成し、
前記複数の周波数帯域を周波数帯域が低い順に前記複数の伝送路のうちの高速な伝送路に割り当て、前記複数の周波数帯域の符号化データを前記複数の伝送路を用いて前記受信側の画像処理装置に送信する
ことを特徴とする画像処理方法。
【請求項１３】
送信側の画像処理装置から送信された画像を表示画面に表示する画像処理方法において、
画像を複数の周波数帯域に分割した分割データを符号化して生成される複数の周波数帯域の符号化データのうちの所定の周波数帯域より低い低周波数帯域の符号化データを前記送信側の画像処理装置から受け、
前記低周波数帯域の符号化データを分割データに復号し、
前記低周波数帯域の分割データを用いて第１の画像を生成し、
前記第１の画像を前記表示画面に表示し、
前記表示画面に表示された画像の画質を変更する場合、画質の変更を要求する変更要求を前記送信側の画像処理装置に出力し、
前記変更要求に応じて前記送信側の画像処理装置から受けた前記低周波数帯域より高い高周波数帯域の符号化データを分割データに復号し、
前記低周波数帯域の分割データと前記高周波数帯域の分割データとを用いて第２の画像を生成し、
前記第２の画像を前記表示画面に表示する
ことを特徴とする画像処理方法。
【請求項１４】
画像を受信側の画像処理装置に送信する画像処理をコンピュータに実行させる画像処理プログラムにおいて、
画像を複数の周波数帯域に分割して分割データを生成し、
前記複数の周波数帯域毎に、分割データを符号化して符号化データを生成し、
前記複数の周波数帯域のうちの所定の周波数帯域より低い低周波数帯域の符号化データを前記受信側の画像処理装置に送信し、
前記受信側の画像処理装置からの画質の変更を要求する変更要求に応答して、前記複数の周波数帯域のうち、前記低周波数帯域より高い周波数帯域を選択対象として、前記変更要求により要求された画質に対応する周波数帯域を選択し、
選択した周波数帯域の符号化データを前記受信側の画像処理装置に送信する
ことを特徴とする画像処理プログラム。
【請求項１５】
画像を受信側の画像処理装置に複数の伝送路を用いて送信する画像処理をコンピュータに実行させる画像処理プログラムにおいて、
画像を複数の周波数帯域に分割して分割データを生成し、
前記複数の周波数帯域毎に、分割データを符号化して符号化データを生成し、
前記複数の周波数帯域を周波数帯域が低い順に前記複数の伝送路のうちの高速な伝送路に割り当て、前記複数の周波数帯域の符号化データを前記複数の伝送路を用いて前記受信側の画像処理装置に送信する
ことを特徴とする画像処理プログラム。
【請求項１６】
送信側の画像処理装置から送信された画像を表示画面に表示する画像処理をコンピュータに実行させる画像処理プログラムにおいて、
画像を複数の周波数帯域に分割した分割データを符号化して生成される複数の周波数帯域の符号化データのうちの所定の周波数帯域より低い低周波数帯域の符号化データを前記送信側の画像処理装置から受け、
前記低周波数帯域の符号化データを分割データに復号し、
前記低周波数帯域の分割データを用いて第１の画像を生成し、
前記第１の画像を前記表示画面に表示し、
前記表示画面に表示された画像の画質を変更する場合、画質の変更を要求する変更要求を前記送信側の画像処理装置に出力し、
前記変更要求に応じて前記送信側の画像処理装置から受けた前記低周波数帯域より高い高周波数帯域の符号化データを分割データに復号し、
前記低周波数帯域の分割データと前記高周波数帯域の分割データとを用いて第２の画像を生成し、前記第２の画像を前記表示画面に表示する
ことを特徴とする画像処理プログラム。
【発明の詳細な説明】
【技術分野】
【０００１】
本発明は、画像処理装置、画像処理方法および画像処理プログラムに関する。
【背景技術】
【０００２】
画像を圧縮して受信側の画像処理装置に送信する画像処理装置における画像圧縮方式の１つとして、画像を複数の周波数帯域に分割し、周波数帯域毎に画像を符号化する方式が知られている（例えば、特許文献１、２、３参照）。例えば、送信側の画像処理装置は、ウェーブレット変換を実行して画像を複数の周波数帯域に分割する。そして、送信側の画像処理装置は、ウェーブレット変換後のデータを複数の周波数帯域毎に符号化して符号化データを生成し、複数の周波数帯域の符号化データを受信側の画像処理装置に送信する。受信側の画像処理装置は、例えば、複数の周波数帯域の符号化データを復号したデータを入力としてウェーブレット逆変換を実行することにより、元の画像を得る。
【先行技術文献】
【特許文献】
【０００３】
【特許文献１】特開２０００−３４１６８９号公報
【特許文献２】特開２００１−１１２００７号公報
【特許文献３】特開２００２−２２３４５５号公報
【発明の概要】
【発明が解決しようとする課題】
【０００４】
受信側の画像処理装置は、複数の周波数帯域の符号化データの全てを送信側の画像処理装置から受けることにより、符号化された画像を符号化前の原画像の画質と同一またはほぼ同一の画質の画像に復号できる。しかしながら、復号後の画像（以下、復号画像とも称する）の画質を原画像と同一またはほぼ同一の画質にするか否かに拘わらず、送信側の画像処理装置は、複数の周波数帯域の符号化データの全てを受信側の画像処理装置に送信する場合がある。この場合、復号画像の画質に応じた周波数帯域の符号化データを送信側の画像処理装置から受信側の画像処理装置に送信する場合に比べて、伝送路のデータ転送量が増加する。
【０００５】
１つの側面では、本発明は、送信側の画像処理装置と受信側の画像処理装置との間の伝送路におけるデータ転送量の増加を抑制することを目的とする。
【課題を解決するための手段】
【０００６】
一観点によれば、画像を受信側の画像処理装置に送信する画像処理装置は、画像を複数の周波数帯域に分割して分割データを生成する分割部と、複数の周波数帯域毎に、分割データを符号化して符号化データを生成する符号化部と、受信側の画像処理装置からの画質の変更を要求する変更要求に応答して、複数の周波数帯域のうち、所定の周波数帯域より高い高周波数帯域から、変更要求により要求された画質に対応する周波数帯域を選択する選択部と、高周波数帯域より低い低周波数帯域の符号化データが受信側の画像処理装置に送信された後に、選択部が変更要求を受けた場合、選択部により選択された周波数帯域の符号化データを受信側の画像処理装置に送信する送信部とを有する。
【０００７】
別の観点によれば、画像を受信側の画像処理装置に送信する画像処理装置は、画像を複数の周波数帯域に分割して分割データを生成する分割部と、複数の周波数帯域毎に、分割データを符号化して符号化データを生成する符号化部と、複数の周波数帯域を周波数帯域が低い順に複数の伝送路のうちの高速な伝送路に割り当てる割り当て部と、複数の周波数帯域の符号化データを、割り当て部により割り当てられた複数の伝送路を用いて、受信側の画像処理装置に送信する送信部とを有する。
【０００８】
別の観点によれば、送信側の画像処理装置から送信された画像を表示画面に表示する画像処理装置は、画像を複数の周波数帯域に分割した分割データを符号化して生成される複数の周波数帯域の符号化データのうちの少なくともいずれかを送信側の画像処理装置から受ける受信部と、受信部が受けた符号化データを分割データに復号する復号部と、表示画面に表示された画像の画質を変更する場合、画質の変更を要求する変更要求を送信側の画像処理装置に出力する変更要求部と、複数の周波数帯域のうちの所定の周波数帯域より低い低周波数帯域の符号化データを復号して生成された分割データを用いて第１の画像を生成し、該第１の画像を生成した後に、変更要求部が変更要求を送信側の画像処理装置に出力したことに応答して送信側の画像処理装置から送信される低周波数帯域より高い高周波数帯域の符号化データを受信部が受けた場合、高周波数帯域の符号化データを復号して生成された分割データと低周波数帯域の分割データとを用いて第２の画像を生成する画像生成部と、第１の画像を表示画面に表示し、第１の画像を表示画面に表示した後に、第２の画像が生成された場合、第２の画像を表示画面に表示する表示制御部とを有する。
【０００９】
別の観点によれば、画像を受信側の画像処理装置に送信する画像処理方法では、画像を複数の周波数帯域に分割して分割データを生成し、複数の周波数帯域毎に、分割データを符号化して符号化データを生成し、複数の周波数帯域のうちの所定の周波数帯域より低い低周波数帯域の符号化データを受信側の画像処理装置に送信し、受信側の画像処理装置からの画質の変更を要求する変更要求に応答して、複数の周波数帯域のうち、低周波数帯域より高い周波数帯域を選択対象として、変更要求により要求された画質に対応する周波数帯域を選択し、選択した周波数帯域の符号化データを受信側の画像処理装置に送信する。
【００１０】
別の観点によれば、画像を受信側の画像処理装置に複数の伝送路を用いて送信する画像処理方法では、画像を複数の周波数帯域に分割して分割データを生成し、複数の周波数帯域毎に、分割データを符号化して符号化データを生成し、複数の周波数帯域を周波数帯域が低い順に複数の伝送路のうちの高速な伝送路に割り当て、複数の周波数帯域の符号化データを複数の伝送路を用いて受信側の画像処理装置に送信する。
【００１１】
別の観点によれば、送信側の画像処理装置から送信された画像を表示画面に表示する画像処理方法では、画像を複数の周波数帯域に分割した分割データを符号化して生成される複数の周波数帯域の符号化データのうちの所定の周波数帯域より低い低周波数帯域の符号化データを送信側の画像処理装置から受け、低周波数帯域の符号化データを分割データに復号し、低周波数帯域の分割データを用いて第１の画像を生成し、第１の画像を表示画面に表示し、表示画面に表示された画像の画質を変更する場合、画質の変更を要求する変更要求を送信側の画像処理装置に出力し、変更要求に応じて送信側の画像処理装置から受けた低周波数帯域より高い高周波数帯域の符号化データを分割データに復号し、低周波数帯域の分割データと高周波数帯域の分割データとを用いて第２の画像を生成し、第２の画像を表示画面に表示する。
【００１２】
別の観点によれば、画像を受信側の画像処理装置に送信する画像処理をコンピュータに実行させる画像処理プログラムは、画像を複数の周波数帯域に分割して分割データを生成し、複数の周波数帯域毎に、分割データを符号化して符号化データを生成し、複数の周波数帯域のうちの所定の周波数帯域より低い低周波数帯域の符号化データを受信側の画像処理装置に送信し、受信側の画像処理装置からの画質の変更を要求する変更要求に応答して、複数の周波数帯域のうち、低周波数帯域より高い周波数帯域を選択対象として、変更要求により要求された画質に対応する周波数帯域を選択し、選択した周波数帯域の符号化データを受信側の画像処理装置に送信する。
【００１３】
別の観点によれば、画像を受信側の画像処理装置に複数の伝送路を用いて送信する画像処理をコンピュータに実行させる画像処理プログラムは、画像を複数の周波数帯域に分割して分割データを生成し、複数の周波数帯域毎に、分割データを符号化して符号化データを生成し、複数の周波数帯域を周波数帯域が低い順に複数の伝送路のうちの高速な伝送路に割り当て、複数の周波数帯域の符号化データを複数の伝送路を用いて受信側の画像処理装置に送信する。
【００１４】
別の観点によれば、送信側の画像処理装置から送信された画像を表示画面に表示する画像処理をコンピュータに実行させる画像処理プログラムは、画像を複数の周波数帯域に分割した分割データを符号化して生成される複数の周波数帯域の符号化データのうちの所定の周波数帯域より低い低周波数帯域の符号化データを送信側の画像処理装置から受け、低周波数帯域の符号化データを分割データに復号し、低周波数帯域の分割データを用いて第１の画像を生成し、第１の画像を表示画面に表示し、表示画面に表示された画像の画質を変更する場合、画質の変更を要求する変更要求を送信側の画像処理装置に出力し、変更要求に応じて送信側の画像処理装置から受けた低周波数帯域より高い高周波数帯域の符号化データを分割データに復号し、低周波数帯域の分割データと高周波数帯域の分割データとを用いて第２の画像を生成し、第２の画像を表示画面に表示する。
【発明の効果】
【００１５】
送信側の画像処理装置と受信側の画像処理装置との間の伝送路におけるデータ転送量の増加を抑制できる。
【図面の簡単な説明】
【００１６】
【図１】画像処理装置、画像処理方法および画像処理プログラムの一実施形態を示す図である。
【図２】画像処理装置、画像処理方法および画像処理プログラムの別の実施形態を示す図である。
【図３】複数の周波数帯域に分割された画像の一例を示す図である。
【図４】図２に示した送信側の画像処理装置の動作の一例を示す図である。
【図５】図２に示した受信側の画像処理装置の動作の一例を示す図である。
【図６】画像処理装置、画像処理方法および画像処理プログラムの別の実施形態を示す図である。
【図７】図６に示した画像処理システムによる画像の画質変更の概要を示す図である。
【図８】図６に示した送信側の画像処理装置の動作の一例を示す図である。
【図９】図６に示した受信側の画像処理装置の動作の一例を示す図である。
【図１０】画像処理装置、画像処理方法および画像処理プログラムの別の実施形態を示す図である。
【図１１】図１０に示した画像処理システムによる画像の画質変更の概要を示す図である。
【図１２】図１０に示した受信側の画像処理装置の動作の一例を示す図である。
【図１３】画像処理装置、画像処理方法および画像処理プログラムの別の実施形態を示す図である。
【図１４】図１３に示した送信側の画像処理装置の動作の一例を示す図である。
【図１５】図１３に示した受信側の画像処理装置の動作の一例を示す図である。
【図１６】画像処理装置、画像処理方法および画像処理プログラムの別の実施形態を示す図である。
【図１７】図１６に示した送信側の画像処理装置の動作の一例を示す図である。
【図１８】図１６に示した受信側の画像処理装置の動作の一例を示す図である。
【図１９】画像処理プログラムを実行するハードウェアの一例を示す図である。
【発明を実施するための形態】
【００１７】
以下、実施形態について、図面を用いて説明する。以下の説明では、画像のデータである画像データも画像と称される。
【００１８】
図１は、画像処理装置、画像処理方法および画像処理プログラムの一実施形態を示す。図１に示す画像処理システムＳＹＳ１は、例えば、監視カメラ等で撮影された画像を伝送する画像伝送システムに用いられる。画像処理システムＳＹＳ１は、表示画面３００を含む表示装置および画像処理装置１００、２００を有する。例えば、画像処理装置１００、２００は、無線または有線の伝送路を介して互いに通信可能に接続される。画像処理装置１００は、画像を受信側の画像処理装置２００に送信する。また、画像処理装置２００は、送信側の画像処理装置１００から送信された画像を表示画面３００に表示する。図１に示す画像処理装置１００、２００が実行する画像処理等の処理は、ハードウェアのみで実現されてもよく、画像処理プログラム等のソフトウェアによりハードウェアを制御することにより実現されてもよい。例えば、画像処理プログラムは、画像処理装置１００、２００の各々に搭載されるＣＰＵ（Central Processing Unit）等に画像処理を実行させてもよい。
【００１９】
先ず、画像処理装置１００について説明する。画像処理装置１００は、例えば、分割部１１０、符号化部１３０、選択部１５０および送信部１７０を有する。
【００２０】
分割部１１０は、画像処理装置１００の外部から画像ＩＭＧｉを受け、画像ＩＭＧｉを複数の周波数帯域に分割して分割データＦＤ（ＦＤ１、ＦＤ２、ＦＤ３、・・・、ＦＤｎ）を生成する。例えば、分割部１１０は、ウェーブレット変換を実行し、画像ＩＭＧｉをｎ個（ｎは２以上の整数）の周波数帯域の分割データＦＤに変換する。そして、分割部１１０は、ｎ個の周波数帯域の分割データＦＤを符号化部１３０に出力する。なお、分割データＦＤの末尾の数字は、値が小さいほど周波数帯域が低くなることを示す。例えば、分割データＦＤ１は、ｎ個の周波数帯域のうちの最も低い周波数帯域の分割データＦＤを示し、分割データＦＤｎは、ｎ個の周波数帯域のうちの最も高い周波数帯域の分割データＦＤを示す。
【００２１】
符号化部１３０は、複数の周波数帯域毎に、分割データＦＤを符号化して符号化データＣＤ（ＣＤ１、ＣＤ２、ＣＤ３、・・・、ＣＤｎ）を生成する。符号化データＣＤの末尾の数字および”ｎ”は、分割データＦＤの末尾の数字および”ｎ”に対応する。例えば、符号化部１３０は、ｎ個の周波数帯域のうちの最も低い周波数帯域の分割データＦＤ１を符号化して符号化データＣＤ１を生成し、生成した符号化データＣＤ１を送信部１７０に出力する。
【００２２】
図１に示す例では、ｎ個の周波数帯域のうちの最も低い周波数帯域は、所定の周波数帯域より低い低周波数帯域である。なお、所定の周波数帯域より低い低周波数帯域は、複数の周波数帯域のうちの最も低い周波数帯域に限定されない。例えば、低周波数帯域は、ｎ個の周波数帯域のうち、最も低い周波数帯域からｉ番目（ｉは、２以上ｎ未満の整数）に低い周波数帯域まででもよい。以下では、複数の周波数帯域のうちの最も低い周波数帯域を低周波数帯域として説明する。
【００２３】
また、符号化部１３０は、分割データＦＤ２、ＦＤ３、・・・、ＦＤｎを符号化して符号化データＣＤ２、ＣＤ３、・・・、ＣＤｎを生成し、生成した符号化データＣＤ２、ＣＤ３、・・・、ＣＤｎを選択部１５０に出力する。したがって、符号化データＣＤ１、ＣＤ２、ＣＤ３、・・・、ＣＤｎのうち、先ず、低周波数帯域の符号化データＣＤ１のみが送信部１７０から画像処理装置２００に送信される。
【００２４】
選択部１５０は、例えば、符号化部１３０から受けた符号化データＣＤ２−ＣＤｎを保持する。また、選択部１５０は、画像の画質の変更を要求する変更要求ＣＲＥＱを画像処理装置２００から受ける。例えば、選択部１５０は、低周波数帯域の符号化データＣＤ１を復号した第１の画像ＩＭＧ１に対する画質の変更を要求する変更要求ＣＲＥＱを画像処理装置２００から受ける。選択部１５０は、変更要求ＣＲＥＱを画像処理装置２００から受けた場合、複数の周波数帯域のうち、所定の周波数帯域より低い低周波数帯域を除いた周波数帯域を選択対象として、変更要求ＣＲＥＱにより要求された画質を実現する周波数帯域を選択する。すなわち、選択部１５０は、変更要求ＣＲＥＱにより要求された画質を実現する周波数帯域を、低周波数帯域を除く周波数帯域から選択する。
【００２５】
このように、選択部１５０は、画像処理装置２００からの画質の変更を要求する変更要求ＣＲＥＱに応答して、複数の周波数帯域のうち、所定の周波数帯域より高い高周波数帯域から、変更要求ＣＲＥＱにより要求された画質に対応する周波数帯域を選択する。
【００２６】
例えば、選択部１５０は、変更要求ＣＲＥＱにより要求された画質を実現する周波数帯域が、最も低い周波数帯域からｍ番目（ｍは、２以上ｎ以下の整数）に低い周波数帯域までの場合、２番目に低い周波数帯域からｍ番目に低い周波数帯域までを選択する。そして、選択部１５０は、２番目に低い周波数帯域からｍ番目に低い周波数帯域までの符号化データＣＤ２−ＣＤｍを、送信部１７０に出力する。なお、符号化データＣＤｍは、ｎ個の周波数帯域のうち、ｍ番目に低い周波数帯域の分割データＦＤｍを符号化して生成された符号化データＣＤである。符号化データＣＤ１−ＣＤｍを用いて復号される画像の画質（例えば、解像度）は、符号化データＣＤ１のみを用いて復号される第１の画像ＩＭＧ１の画質（例えば、解像度）より高い。以下、選択部１５０により変更要求ＣＲＥＱに基づいて選択された周波数帯域は、高周波数帯域とも称される。なお、高周波数帯域は、低周波数帯域より高い周波数帯域である。
【００２７】
送信部１７０は、選択部１５０が変更要求ＣＲＥＱを画像処理装置２００から受ける前に、符号化部１３０から受けた低周波数帯域の符号化データＣＤ１を画像処理装置２００に送信する。また、送信部１７０は、選択部１５０が変更要求ＣＲＥＱを画像処理装置２００から受けた場合、選択部１５０から高周波数帯域の符号化データＣＤ（ＣＤ２−ＣＤｍ）を受ける。そして、送信部１７０は、選択部１５０から受けた高周波数帯域の符号化データＣＤ（ＣＤ２−ＣＤｍ）を画像処理装置２００に送信する。すなわち、送信部１７０は、選択部１５０が変更要求ＣＲＥＱを画像処理装置２００から受けた場合、選択部１５０により変更要求ＣＲＥＱに基づいて選択された高周波数帯域の符号化データＣＤ（ＣＤ２−ＣＤｍ）を画像処理装置２００に送信する。このように、送信部１７０は、高周波数帯域より低い低周波数帯域の符号化データＣＤ１が画像処理装置２００に送信された後に、選択部１５０が変更要求ＣＲＥＱを受けた場合、選択部１５０により選択された周波数帯域の符号化データＣＤを画像処理装置２００に送信する。これにより、画像処理装置２００は、低周波数帯域の符号化データＣＤ１のみを用いて復号する第１の画像ＩＭＧ１の画質より高い画質の画像を表示画面３００に表示できる。
【００２８】
なお、画像処理装置１００は、画像処理装置２００から変更要求ＣＲＥＱを受けない場合、符号化データＣＤ１、ＣＤ２、ＣＤ３、・・・、ＣＤｎのうちの符号化データＣＤ１のみを画像処理装置２００に送信する。このため、例えば、変更要求ＣＲＥＱを用いずに全ての符号化データＣＤ１−ＣＤｎが送信側の画像処理装置から受信側の画像処理装置に送信される場合に比べて、画像処理装置１００、２００間の伝送路におけるデータ転送量の増加を抑制することができる。
【００２９】
また、画像処理装置１００は、全ての符号化データＣＤ１−ＣＤｎを画像処理装置２００に送信する場合でも、符号化データＣＤを２回に分けて画像処理装置２００に送信する。これにより、符号化データＣＤ１−ＣＤｎが１回で送信される場合に比べて、画像処理装置１００、２００間の伝送路における１回当たりのデータ転送量を低減することができる。
【００３０】
次に、画像処理装置２００について説明する。画像処理装置２００は、例えば、受信部２１０、復号部２３０、画像生成部２５０、表示制御部２７０および変更要求部２９０を有する。
【００３１】
受信部２１０は、画像ＩＭＧｉを複数の周波数帯域に分割した分割データＦＤを符号化して生成される複数の周波数帯域の符号化データＣＤのうちの少なくともいずれかを送信側の画像処理装置１００から受ける。そして、受信部２１０は、画像処理装置１００から受けた符号化データＣＤを復号部２３０に出力する。例えば、受信部２１０は、変更要求ＣＲＥＱが画像処理装置２００から画像処理装置１００に送信される前に、複数の周波数帯域のうちの低周波数帯域の符号化データＣＤ１を画像処理装置１００から受け、符号化データＣＤ１を復号部２３０に出力する。また、受信部２１０は、変更要求ＣＲＥＱが画像処理装置２００から画像処理装置１００に送信された場合、変更要求ＣＲＥＱに基づいて選択された高周波数帯域の符号化データＣＤ２−ＣＤｍを画像処理装置１００から受ける。このように、受信部２１０は、画像ＩＭＧｉを複数の周波数帯域毎に符号化して生成される複数の周波数帯域の符号化データＣＤのうちの少なくとも、低周波数帯域の符号化データＣＤ１を送信側の画像処理装置１００から受ける。
【００３２】
復号部２３０は、複数の周波数帯域毎に、符号化データＣＤを分割データＦＤに復号する。例えば、復号部２３０は、受信部２１０から受けた符号化データＣＤ１を分割データＦＤ１に復号し、分割データＦＤ１を画像生成部２５０に出力する。また、復号部２３０は、受信部２１０から符号化データＣＤ２−ＣＤｍを受けた場合、符号化データＣＤ２−ＣＤｍをそれぞれ分割データＦＤ２−ＦＤｍに復号し、分割データＦＤ２−ＦＤｍを画像生成部２５０に出力する。このように、復号部２３０は、受信部２１０が受けた符号化データＣＤを分割データＦＤに復号する。
【００３３】
画像生成部２５０は、複数の周波数帯域のうちの低周波数帯域の分割データＦＤ１を用いて第１の画像ＩＭＧ１を生成し、第１の画像ＩＭＧ１を表示制御部２７０に出力する。例えば、画像生成部２５０は、復号部２３０から受けた分割データＦＤ１に対してウェーブレット逆変換を実行し、第１の画像ＩＭＧ１を生成する。そして、画像生成部２５０は、第１の画像ＩＭＧ１を表示制御部２７０に出力する。これにより、表示制御部２７０は、第１の画像ＩＭＧ１を表示画面３００に表示する。
【００３４】
なお、第１の画像ＩＭＧ１は、複数の周波数帯域のうちの低周波数帯域の分割データＦＤ１のみを用いて生成されるため、複数の周波数帯域の分割データＦＤ１−ＦＤｎを用いて生成される画像に比べて低画質である。このため、例えば、表示画面３００に表示された第１の画像ＩＭＧ１を見ているユーザは、画質を高くするための操作を画像処理装置２００に接続されたマウス等の入力装置（図示せず）を用いて実行する。これにより、例えば、ユーザの所望する画質に変更するための変更要求ＵＲＥＣが画像処理装置２００の変更要求部２９０に通知される。
【００３５】
変更要求部２９０は、変更要求ＵＲＥＣを受けた場合、第１の画像ＩＭＧ１に対する画質の変更を要求する変更要求ＣＲＥＱを送信側の画像処理装置１００に出力する。すなわち、変更要求部２９０は、表示画面３００に表示された表示画像ＩＭＧｏ（例えば、第１の画像ＩＭＧ１）の画質を変更する場合、画質の変更を要求する変更要求ＣＲＥＱを送信側の画像処理装置１００に出力する。変更要求ＣＲＥＱを受けた画像処理装置１００は、上述したように、変更要求ＣＲＥＱに基づいて選択した高周波数帯域の符号化データＣＤ２−ＣＤｍを画像処理装置２００に送信する。これにより、変更要求ＣＲＥＱに基づいて選択された高周波数帯域の符号化データＣＤ２−ＣＤｍは、復号部２３０により分割データＦＤ２−ＦＤｍに復号される。そして、画像生成部２５０は、変更要求ＣＲＥＱに基づいて選択された高周波数帯域の分割データＦＤ２−ＦＤｍを復号部２３０から受ける。
【００３６】
画像生成部２５０は、分割データＦＤ２−ＦＤｍを復号部２３０から受けた場合、復号部２３０から受けた分割データＦＤ１−ＦＤｍを用いて第２の画像ＩＭＧ２を生成する。すなわち、画像生成部２５０は、変更要求ＣＲＥＱに基づいて選択された高周波数帯域の符号化データＣＤ２−ＣＤｍを受信部２１０が送信側の画像処理装置１００から受けた場合、分割データＦＤ１−ＦＤｍを用いて第２の画像ＩＭＧ２を生成する。例えば、画像生成部２５０は、復号部２３０から受けた分割データＦＤ１−ＦＤｍを入力としてウェーブレット逆変換を実行し、第２の画像ＩＭＧ２を生成する。そして、画像生成部２５０は、第２の画像ＩＭＧ２を表示制御部２７０に出力する。なお、第２の画像ＩＭＧ２は、分割データＦＤ１−ＦＤｍを用いて生成されるため、第１の画像ＩＭＧ１に比べて高画質である。
【００３７】
このように、画像生成部２５０は、変更要求部２９０が変更要求ＣＲＥＱを送信側の画像処理装置１００に出力する前に、複数の周波数帯域のうちの低周波数帯域の符号化データＣＤを復号して生成された分割データＦＤを用いて第１の画像ＩＭＧ１を生成する。そして、画像生成部２５０は、第１の画像ＩＭＧ１を生成した後に、変更要求部２９０が変更要求ＣＲＥＱを画像処理装置１００に出力したことに応答して画像処理装置１００から送信される高周波数帯域の符号化データＣＤ２−ＣＤｍを受信部２１０が受けた場合、第２の画像ＩＭＧ２を生成する。例えば、画像生成部２５０は、上述したように、低周波数帯域の分割データＦＤ１と、高周波数帯域の符号化データＣＤ２−ＣＤｍを復号して生成された分割データＦＤ２−ＦＤｍとを用いて、第２の画像ＩＭＧ２を生成する。
【００３８】
表示制御部２７０は、第２の画像ＩＭＧ２が生成された場合、第２の画像ＩＭＧ２を表示画面３００に表示する。なお、表示制御部２７０は、第２の画像ＩＭＧ２が生成されない場合、第１の画像ＩＭＧ１を表示画面３００に表示する。すなわち、表示制御部２７０は、変更要求部２９０が変更要求ＣＲＥＱを送信側の画像処理装置１００に出力する前に、第１の画像ＩＭＧ１を表示画面３００に表示し、第２の画像ＩＭＧ２が生成された場合、第２の画像ＩＭＧ２を表示画面３００に表示する。
【００３９】
例えば、表示制御部２７０は、第２の画像ＩＭＧ２を画像生成部２５０から受けていない場合、画像生成部２５０から受けた第１の画像ＩＭＧ１を表示画像ＩＭＧｏとして、表示画面３００を含む表示装置に出力する。そして、表示制御部２７０は、第２の画像ＩＭＧ２を画像生成部２５０から受けた場合、画像生成部２５０から受けた第２の画像ＩＭＧ２を表示画像ＩＭＧｏとして、表示画面３００を含む表示装置に出力する。これにより、表示画面３００には、第１の画像ＩＭＧ１より高画質な第２の画像ＩＭＧ２が表示される。
【００４０】
このように、画像処理装置２００は、画像処理装置１００、２００間の伝送路におけるデータ転送量の増加を抑制しつつ、第１の画像ＩＭＧ１より高画質な第２の画像ＩＭＧ２をユーザの要求に応じて表示画面３００に表示できる。
【００４１】
なお、画像処理装置１００、２００の構成は、図１に示す例に限定されない。例えば、画像処理装置１００は、複数の周波数帯域の分割データＦＤにそれぞれ対応した複数の符号化部１３０を有してもよい。この場合、複数の符号化部１３０は、複数の分割データＦＤの符号化を並列に実行できる。
【００４２】
また、選択部１５０は、分割部１１０と符号化部１３０との間に配置されてもよい。この場合、選択部１５０は、例えば、分割部１１０から受けた分割データＦＤ２−ＦＤｎを保持する。そして、選択部１５０は、変更要求ＣＲＥＱを受けた場合、分割データＦＤ２−ＦＤｎのうち、変更要求ＣＲＥＱにより要求された画質を実現する周波数帯域の分割データＦＤ２−ＦＤｍを符号化部１３０に出力する。符号化部１３０は、選択部１５０から受けた分割データＦＤ２−ＦＤｍを符号化して符号化データＣＤ２−ＣＤｍを生成し、符号化データＣＤ２−ＣＤｍを送信部１７０に出力する。
【００４３】
以上、図１に示す実施形態では、送信側の画像処理装置１００は、画像ＩＭＧｉを複数の周波数帯域に分割して分割データＦＤを生成し、複数の周波数帯域毎に分割データＦＤを符号化して符号化データＣＤを生成する。そして、画像処理装置１００は、複数の周波数帯域のうちの所定の周波数帯域より低い低周波数帯域の符号化データＣＤ１を受信側の画像処理装置２００に送信する。また、画像処理装置１００は、画質の変更を要求する変更要求ＣＲＥＱを画像処理装置２００から受けた場合、複数の周波数帯域のうち、低周波数帯域を除いた周波数帯域を選択対象として、変更要求ＣＲＥＱにより要求された画質を実現する周波数帯域を選択する。そして、画像処理装置１００は、選択した周波数帯域の符号化データＣＤ２−ＣＤｍを画像処理装置２００に送信する。なお、画像処理装置１００は、画像処理装置２００から変更要求ＣＲＥＱを受けない場合、符号化データＣＤ１−ＣＤｎのうちの符号化データＣＤ１のみを画像処理装置２００に送信する。したがって、例えば、変更要求ＣＲＥＱを用いずに全ての符号化データＣＤ１−ＣＤｎが送信側の画像処理装置から受信側の画像処理装置に送信される場合に比べて、画像処理装置１００、２００間の伝送路におけるデータ転送量の増加を抑制することができる。
【００４４】
一方、受信側の画像処理装置２００は、複数の周波数帯域の符号化データＣＤのうちの所定の周波数帯域より低い低周波数帯域の符号化データＣＤ１を送信側の画像処理装置１００から受け、低周波数帯域の符号化データＣＤ１を分割データＦＤ１に復号する。そして、画像処理装置２００は、低周波数帯域の分割データＦＤ１を用いて第１の画像ＩＭＧ１を生成し、第１の画像ＩＭＧ１を表示画面３００に表示する。
【００４５】
また、画像処理装置２００は、表示画面３００に表示された表示画像ＩＭＧｏの画質を変更する場合、画質の変更を要求する変更要求ＣＲＥＱを送信側の画像処理装置１００に出力する。これにより、画像処理装置２００は、低周波数帯域より高い高周波数帯域の符号化データＣＤ２−ＣＤｍを送信側の画像処理装置１００から受ける。画像処理装置２００は、画像処理装置１００から受けた高周波数帯域の符号化データＣＤ２−ＣＤｍを分割データＦＤ２−ＦＤｍに復号する。そして、画像処理装置２００は、低周波数帯域の分割データＦＤ１と高周波数帯域の分割データＦＤ２−ＦＤｍとを用いて第２の画像ＩＭＧ２を生成し、第２の画像ＩＭＧ２を表示画面３００に表示する。画像処理装置２００が第１の画像ＩＭＧ１より高画質な第２の画像ＩＭＧ２を表示画面３００に表示する場合でも、符号化データＣＤが２回に分けて送信されるため、画像処理装置１００、２００間の伝送路におけるデータ転送量の増加を抑制することができる。
【００４６】
図２は、画像処理装置、画像処理方法および画像処理プログラムの別の実施形態を示す。図１で説明した要素と同一または同様の要素については、同一または同様の符号を付し、これ等については、詳細な説明を省略する。分割データＦＤの末尾の数字および符号化データＣＤの末尾の数字の意味は、図１で説明した分割データＦＤの末尾の数字および符号化データＣＤの末尾の数字の意味と同じである。例えば、分割データＦＤ１および符号化データＣＤ１は、４つの周波数帯域のうちの最も低い周波数帯域の分割データＦＤおよび符号化データＣＤをそれぞれ示す。また、分割データＦＤ４および符号化データＣＤ４は、４つの周波数帯域のうちの最も高い周波数帯域の分割データＦＤおよび符号化データＣＤをそれぞれ示す。
【００４７】
図２に示す画像処理システムＳＹＳ２は、例えば、監視カメラ等で撮影された画像を伝送する画像伝送システムに用いられる。画像処理システムＳＹＳ２は、伝送対象の画像ＩＭＧｉが記憶される記憶部１０と、表示画面３００を含む表示装置と、画像処理装置１０１、２０１とを有する。例えば、画像処理装置１０１、２０１は、無線または有線の伝送路を介して互いに通信可能に接続される。画像処理装置１０１は、画像を受信側の画像処理装置２０１に送信する。また、画像処理装置２０１は、送信側の画像処理装置１０１から送信された画像を表示画面３００に表示する。図２に示す画像処理装置１０１、２０１が実行する画像処理等の処理は、ハードウェアのみで実現されてもよく、画像処理プログラム等のソフトウェアによりハードウェアを制御することにより実現されてもよい。例えば、画像処理プログラムは、画像処理装置１０１、２０１の各々に搭載されるＣＰＵ等に画像処理を実行させてもよい。
【００４８】
先ず、画像処理装置１０１について説明する。画像処理装置１０１は、図１に示した符号化部１３０、選択部１５０および送信部１７０の代わりに、符号化部１３２（１３２ａ、１３２ｂ、１３２ｃ、１３２ｄ）、選択部１５２および送信部１７２を有する。さらに、画像処理装置１０１では、記憶部１２０（１２０ａ、１２０ｂ、１２０ｃ、１２０ｄ）および多重化部１６０が図１に示した画像処理装置１００に追加される。画像処理装置１０１のその他の構成は、画像処理装置１００と同一または同様である。例えば、画像処理装置１０１は、分割部１１０、複数の記憶部１２０、複数の符号化部１３２、選択部１５２、多重化部１６０および送信部１７２を有する。
【００４９】
分割部１１０は、記憶部１０から画像ＩＭＧｉを受け、画像ＩＭＧｉを４つの周波数帯域に分割して分割データＦＤ（ＦＤ１、ＦＤ２、ＦＤ３、ＦＤ４）を生成する。例えば、分割部１１０は、ウェーブレット変換を繰り返し実行し、画像ＩＭＧｉを４つの周波数帯域の分割データＦＤに変換する。そして、分割部１１０は、４つの周波数帯域の分割データＦＤ１、ＦＤ２、ＦＤ３、ＦＤ４を４つの記憶部１２０ａ、１２０ｂ、１２０ｃ、１２０ｄにそれぞれ格納する。図２以降では、画像ＩＭＧｉを４つの周波数帯域に分割した場合を例にして説明する。なお、分割数は４つに限定されない。
【００５０】
符号化部１３２は、複数の周波数帯域毎に、分割データＦＤを符号化して符号化データＣＤを生成する。例えば、符号化部１３２ａは、記憶部１２０ａに記憶された低周波数帯域の分割データＦＤ１を符号化して符号化データＣＤ１を生成し、低周波数帯域の符号化データＣＤ１を送信部１７２に出力する。符号化部１３２ｂは、記憶部１２０ｂに記憶された分割データＦＤ２を符号化して符号化データＣＤ２を生成し、符号化データＣＤ２を選択部１５２に出力する。符号化部１３２ｃは、記憶部１２０ｃに記憶された分割データＦＤ３を符号化して符号化データＣＤ３を生成し、符号化データＣＤ３を選択部１５２に出力する。符号化部１３２ｄは、記憶部１２０ｄに記憶された分割データＦＤ４を符号化して符号化データＣＤ４を生成し、符号化データＣＤ４を選択部１５２に出力する。
【００５１】
選択部１５２は、図１に示した選択部１５０と同一または同様である。例えば、選択部１５２は、変更要求ＣＲＥＱを画像処理装置２０１から受けた場合、低周波数帯域を除いた周波数帯域のうち、変更要求ＣＲＥＱにより要求された画質を実現する周波数帯域を選択する。例えば、選択部１５２は、変更要求ＣＲＥＱにより要求された画質を実現する周波数帯域が、最も低い周波数帯域からｍ番目（ｍは、２以上４以下の整数）に低い周波数帯域までの場合、２番目に低い周波数帯域からｍ番目に低い周波数帯域までを選択する。そして、選択部１５２は、２番目に低い周波数帯域からｍ番目に低い周波数帯域までの高周波数帯域の符号化データＣＤ２−ＣＤｍを、多重化部１６０に出力する。
【００５２】
多重化部１６０は、選択部１５２から受けた高周波数帯域の符号化データＣＤ（ＣＤ２−ＣＤｍ）を多重化して送信部１７２に出力する。例えば、多重化部１６０は、選択部１５２から受けた高周波数帯域の符号化データＣＤ２−ＣＤｍを、周波数帯域が低い順に送信部１７２に出力する。
【００５３】
送信部１７２は、選択部１５２が変更要求ＣＲＥＱを画像処理装置２０１から受ける前に、符号化部１３２ａから受けた低周波数帯域の符号化データＣＤ１を画像処理装置２０１に送信する。また、送信部１７２は、選択部１５２から多重化部１６０を介して受けた高周波数帯域の符号化データＣＤ（ＣＤ２−ＣＤｍ）を画像処理装置２０１に送信する。すなわち、送信部１７２は、選択部１５２が変更要求ＣＲＥＱを画像処理装置２０１から受けた場合、選択部１５２により変更要求ＣＲＥＱに基づいて選択された高周波数帯域の符号化データＣＤ（ＣＤ２−ＣＤｍ）を画像処理装置２０１に送信する。
【００５４】
次に、画像処理装置２０１について説明する。画像処理装置２０１は、図１に示した受信部２１０、復号部２３０、画像生成部２５０および表示制御部２７０の代わりに、受信部２１２、復号部２３２（２３２ａ、２３２ｂ、２３２ｃ、２３２ｄ）、画像生成部２５２および表示制御部２７２を有する。また、画像処理装置２０１は、図１に示した変更要求部２９０の代わりに変更要求部２９２を有する。さらに、画像処理装置２０１では、分離部２２０および記憶部２４０（２４０ａ、２４０ｂ、２４０ｃ、２４０ｄ）が図１に示した画像処理装置２００に追加される。画像処理装置２０１のその他の構成は、画像処理装置２００と同一または同様である。例えば、画像処理装置２０１は、受信部２１２、分離部２２０、複数の復号部２３２、複数の記憶部２４０、画像生成部２５２、表示制御部２７２および変更要求部２９２を有する。
【００５５】
受信部２１２は、画像ＩＭＧｉを複数の周波数帯域に分割した分割データＦＤを符号化して生成される複数の周波数帯域の符号化データＣＤのうちの少なくともいずれかを送信側の画像処理装置１０１から受ける。例えば、受信部２１２は、変更要求ＣＲＥＱが画像処理装置２０１から画像処理装置１０１に送信される前に、複数の周波数帯域のうちの低周波数帯域の符号化データＣＤ１を画像処理装置１０１から受け、符号化データＣＤ１を復号部２３２ａに出力する。また、受信部２１２は、変更要求ＣＲＥＱが画像処理装置２０１から画像処理装置１０１に送信された場合、変更要求ＣＲＥＱに基づいて選択された高周波数帯域の符号化データＣＤ２−ＣＤｍを画像処理装置１０１から受ける。そして、受信部２１２は、変更要求ＣＲＥＱに基づいて画像処理装置１０１から送信された高周波数帯域の符号化データＣＤ２−ＣＤｍを、分離部２２０に出力する。
【００５６】
分離部２２０は、多重化された符号化データＣＤ２−ＣＤｍを、多重化部１６０による多重化方法に対応する分離方法を用いて、各周波数帯域の符号化データＣＤに分離する。そして、分離部２２０は、分離した符号化データＣＤを、対応する復号部２３２に出力する。例えば、分離部２２０は、符号化データＣＤ２を復号部２３２ｂに出力する。また、高周波数帯域の符号化データＣＤ２−ＣＤｍに符号化データＣＤ３が含まれている場合、分離部２２０は、符号化データＣＤ３を復号部２３２ｃに出力する。また、高周波数帯域の符号化データＣＤ２−ＣＤｍに符号化データＣＤ４が含まれている場合、分離部２２０は、符号化データＣＤ４を復号部２３２ｄに出力する。
【００５７】
復号部２３２は、複数の周波数帯域毎に、符号化データＣＤを分割データＦＤに復号する。例えば、復号部２３２ａは、受信部２１２から受けた符号化データＣＤ１を分割データＦＤ１に復号し、分割データＦＤ１を記憶部２４０ａに格納する。復号部２３２ｂは、受信部２１２から分離部２２０を介して符号化データＣＤ２を受けた場合、符号化データＣＤ２を分割データＦＤ２に復号し、分割データＦＤ２を記憶部２４０ｂに格納する。復号部２３２ｃは、受信部２１２から分離部２２０を介して符号化データＣＤ３を受けた場合、符号化データＣＤ３を分割データＦＤ３に復号し、分割データＦＤ３を記憶部２４０ｃに格納する。復号部２３２ｄは、受信部２１２から分離部２２０を介して符号化データＣＤ４を受けた場合、符号化データＣＤ４を分割データＦＤ４に復号し、分割データＦＤ４を記憶部２４０ｃに格納する。このように、復号部２３２は、受信部２１２が受けた符号化データＣＤを分割データＦＤに復号する。
【００５８】
画像生成部２５２は、変更要求部２９２が変更要求ＣＲＥＱを送信側の画像処理装置１０１に出力する前に、複数の周波数帯域のうちの低周波数帯域の符号化データＣＤ１を復号して生成された分割データＦＤ１を用いて第１の画像ＩＭＧ１を生成する。また、画像生成部２５２は、変更要求部２９２が変更要求ＣＲＥＱを画像処理装置１０１に出力したことに基づいて画像処理装置１０１から送信される高周波数帯域の符号化データＣＤ２−ＣＤｍを受信部２１２が受けた場合、第２の画像ＩＭＧ２を生成する。例えば、画像生成部２５２は、低周波数帯域の分割データＦＤ１と、高周波数帯域の符号化データＣＤ２−ＣＤｍを復号して生成された分割データＦＤ２−ＦＤｍとを用いて、第２の画像ＩＭＧ２を生成する。
【００５９】
例えば、画像生成部２５２は、周波数逆変換部２５６（２５６ａ、２５６ｂ）を有する。周波数逆変換部２５６ａは、記憶部２４０ａに記憶された分割データＦＤ１に対してウェーブレット逆変換を実行し、第１の画像ＩＭＧ１を生成する。そして、周波数逆変換部２５６ａは、第１の画像ＩＭＧ１を表示制御部２７２に出力する。これにより、第１の画像ＩＭＧ１は、表示制御部２７２内の記憶部２７４に格納され、表示画面３００に表示される。
【００６０】
周波数逆変換部２５６ｂは、高周波数帯域の符号化データＣＤ２−ＣＤｍを受信部２１２が受けた場合、記憶部２４０に記憶された分割データＦＤ１−ＦＤｍを入力としてウェーブレット逆変換を実行し、第２の画像ＩＭＧ２を生成する。そして、周波数逆変換部２５６ｂは、第２の画像ＩＭＧ２を表示制御部２７２に出力する。これにより、第２の画像ＩＭＧ２は、表示制御部２７２内の記憶部２７４に格納され、表示画面３００に表示される。
【００６１】
例えば、高周波数帯域の符号化データＣＤ２−ＣＤｍが符号化データＣＤ２、ＣＤ３、ＣＤ４である場合、周波数逆変換部２５６ｂは、記憶部２４０ａ、２４０ｂ、２４０ｃ、２４０ｄから分割データＦＤ１、ＦＤ２、ＦＤ３、ＦＤ４をそれぞれ受ける。そして、周波数逆変換部２５６ｂは、分割データＦＤ１、ＦＤ２、ＦＤ３、ＦＤ４を入力としてウェーブレット逆変換を実行して第２の画像ＩＭＧ２を生成し、第２の画像ＩＭＧ２を表示制御部２７２に出力する。これにより、分割データＦＤ１、ＦＤ２、ＦＤ３、ＦＤ４を用いて生成された第２の画像ＩＭＧ２が表示画面３００に表示される。
【００６２】
なお、高周波数帯域の符号化データＣＤ２−ＣＤｍが符号化データＣＤ２、ＣＤ３である場合、周波数逆変換部２５６ｂは、分割データＦＤ１、ＦＤ２、ＦＤ３を入力としてウェーブレット逆変換を実行して第２の画像ＩＭＧ２を生成する。また、高周波数帯域の符号化データＣＤ２−ＣＤｍが符号化データＣＤ２である場合、周波数逆変換部２５６ｂは、分割データＦＤ１、ＦＤ２を入力としてウェーブレット逆変換を実行して第２の画像ＩＭＧ２を生成する。
【００６３】
表示制御部２７２は、変更要求部２９２が変更要求ＣＲＥＱを送信側の画像処理装置１０１に出力する前に、第１の画像ＩＭＧ１を表示画面３００に表示し、第２の画像ＩＭＧ２が生成された場合、第２の画像ＩＭＧ２を表示画面３００に表示する。例えば、表示制御部２７２は、表示画面３００に表示する表示画像ＩＭＧｏを記憶する記憶部２７４を有し、記憶部２７４に格納した表示画像ＩＭＧｏを表示画面３００に表示する。
【００６４】
例えば、表示制御部２７２は、画像生成部２５２から受けた第１の画像ＩＭＧ１を表示画像ＩＭＧｏとして記憶部２７４に格納し、記憶部２７４に格納した表示画像ＩＭＧｏを表示画面３００に表示する。これにより、第１の画像ＩＭＧ１が表示画像ＩＭＧｏとして表示画面３００に表示される。そして、表示制御部２７２は、第２の画像ＩＭＧ２を画像生成部２５２から受けた場合、第２の画像ＩＭＧ２を記憶部２７４に上書きする。これにより、第２の画像ＩＭＧ２が表示画像ＩＭＧｏとして記憶部２７４に格納される。そして、表示制御部２７２は、記憶部２７４に格納した表示画像ＩＭＧｏを表示画面３００に表示する。これにより、表示画面３００には、第１の画像ＩＭＧ１より高画質な第２の画像ＩＭＧ２が表示される。
【００６５】
変更要求部２９２は、表示画面３００に表示された表示画像ＩＭＧｏ（例えば、第１の画像ＩＭＧ１）の画質を変更する場合、画質の変更を要求する変更要求ＣＲＥＱを送信側の画像処理装置１０１に出力する。例えば、表示画面３００に表示された第１の画像ＩＭＧ１を見ているユーザは、画質を高くするための操作を画像処理装置２０１に接続されたマウス等の入力装置（図示せず）を用いて実行する。これにより、例えば、ユーザの所望する画質に変更するための変更要求ＵＲＥＣが画像処理装置２０１の変更要求部２９２に通知される。
【００６６】
変更要求ＵＲＥＣを受けた変更要求部２９２は、第１の画像ＩＭＧ１に対する画質の変更を要求する変更要求ＣＲＥＱを送信側の画像処理装置１０１に出力する。上述したように、変更要求ＣＲＥＱを受けた画像処理装置１０１は、変更要求ＣＲＥＱに基づいて選択した高周波数帯域の符号化データＣＤ２−ＣＤｍを画像処理装置２０１に送信する。これにより、低周波数帯域の分割データＦＤ１と変更要求ＣＲＥＱに基づいて選択された高周波数帯域の分割データＦＤ２−ＦＤｍとを用いて生成された第２の画像ＩＭＧ２が表示画面３００に表示される。なお、第２の画像ＩＭＧ２は、分割データＦＤ１−ＦＤｍを用いて生成されるため、第１の画像ＩＭＧ１に比べて高画質である。
【００６７】
このように、画像処理システムＳＹＳ２では、画像処理装置１０１は、画像処理装置２０１から変更要求ＣＲＥＱを受けない場合、符号化データＣＤ１、ＣＤ２、ＣＤ３、ＣＤ４のうちの符号化データＣＤ１のみを画像処理装置２０１に送信する。このため、例えば、変更要求ＣＲＥＱを用いずに全ての符号化データＣＤ１−ＣＤ４が送信側の画像処理装置から受信側の画像処理装置に送信される場合に比べて、画像処理装置１０１、２０１間の伝送路におけるデータ転送量の増加を抑制することができる。
【００６８】
また、画像処理装置１０１は、全ての符号化データＣＤ１−ＣＤ４を画像処理装置２０１に送信する場合でも、符号化データＣＤを少なくとも２回に分けて画像処理装置２０１に送信する。これにより、符号化データＣＤ１−ＣＤ４が１回で送信される場合に比べて、画像処理装置１０１、２０１間の伝送路における１回当たりのデータ転送量を低減することができる。また、画像処理装置２０１は、画像処理装置１０１、２０１間の伝送路におけるデータ転送量の増加を抑制しつつ、第１の画像ＩＭＧ１より高画質な第２の画像ＩＭＧ２をユーザの要求に応じて表示画面３００に表示できる。
【００６９】
なお、画像処理装置１０１、２０１の構成は、図２に示す例に限定されない。例えば、記憶部１２０ａ、１２０ｂ、１２０ｃ、１２０ｄは、１つの記憶部の互いに異なる領域に割り当てられてもよい。また、画像処理装置１０１は、複数の周波数帯域の分割データＦＤの符号化を周波数帯域の分割数より少ない数（例えば、１つ）の符号化部１３２で順に実行してもよい。あるいは、符号化部１３２は、選択部１５２が変更要求ＣＲＥＱを受けるまで、低周波数帯域以外の周波数帯域の分割データＦＤを符号化する処理を待機し、選択部１５２が変更要求ＣＲＥＱを受けた場合、高周波数帯域の分割データＦＤを符号化してもよい。すなわち、符号化部１３２は、選択部１５２が変更要求ＣＲＥＱを受けた場合、高周波数帯域の分割データＦＤを周波数帯域毎に符号化して符号化データＣＤを生成してもよい。
【００７０】
例えば、選択部１５２は、記憶部１２０ｂ、１２０ｃ、１２０ｄと符号化部１３２ｂ、１３２ｃ、１３２ｄとの間に配置されてもよい。この場合、選択部１５２は、記憶部１２０ｂ、１２０ｃ、１２０ｄと符号化部１３２ｂ、１３２ｃ、１３２ｄとの間のそれぞれの経路の状態を、変更要求ＣＲＥＱに基づいて導通状態と非導通状態とに切り替えてもよい。
【００７１】
また、画像処理装置２０１は、複数の周波数帯域の符号化データＣＤの復号を周波数帯域の分割数より少ない数（例えば、１つ）の復号部２３２で順に実行してもよい。また、記憶部２４０ａ、２４０ｂ、２４０ｃ、２４０ｄは、１つの記憶部の互いに異なる領域に割り当てられてもよい。あるいは、周波数逆変換部２５６ａが省かれてもよい。この場合、例えば、周波数逆変換部２５６ｂが分割データＦＤ１を用いて第１の画像ＩＭＧ１を生成してもよい。
【００７２】
図３は、複数の周波数帯域に分割された画像の一例を示す。画像ＩＭＧｉは、伝送対象の画像、すなわち、分割対象の画像である。画像ＩＭＧＬは、画像ＩＭＧｉを４つの周波数帯域に分割した場合の最も低い周波数帯域に対応する画像である。例えば、画像ＩＭＧＬに対応する分割データＦＤ１を符号化した符号化データＣＤ１は、画像処理装置２０１が変更要求ＣＲＥＱを画像処理装置１０１に出力する前に、画像処理装置２０１に送信される。すなわち、画像ＩＭＧＬは、画像処理装置２０１が変更要求ＣＲＥＱを画像処理装置１０１に出力する前に表示画面３００に表示される第１の画像ＩＭＧ１に対応する。
【００７３】
画像ＩＭＧＨ１は、画像ＩＭＧｉを４つの周波数帯域に分割した場合の２番目に低い周波数帯域に対応する画像であり、画像ＩＭＧＨ２は、画像ＩＭＧｉを４つの周波数帯域に分割した場合の３番目に低い周波数帯域に対応する画像である。画像ＩＭＧＨ３は、画像ＩＭＧｉを４つの周波数帯域に分割した場合の最も高い周波数帯域に対応する画像である。例えば、画像ＩＭＧＨ１、ＩＭＧＨ２、ＩＭＧＨ３に対応する分割データＦＤ２、ＦＤ３、ＦＤ４を符号化した符号化データＣＤ２、ＣＤ３、ＣＤ４は、変更要求ＣＲＥＱに基づいて選択部１５２により選択された場合、画像処理装置２０１に送信される。
【００７４】
図４は、図２に示した送信側の画像処理装置１０１の動作の一例を示す。なお、図４は、画像を受信側の画像処理装置２０１に送信する画像処理の一例を示す。図４に示す動作は、ハードウェアのみで実現されてもよく、画像処理プログラム等のソフトウェアによりハードウェアを制御することにより実現されてもよい。例えば、画像処理プログラムは、図４に示す動作をコンピュータに実行させてもよい。
【００７５】
ステップＳ１００では、分割部１１０は、画像ＩＭＧｉを４つの周波数帯域に分割して分割データＦＤを生成する。例えば、分割部１１０は、ウェーブレット変換を繰り返し実行し、画像ＩＭＧｉを４つの周波数帯域の分割データＦＤに変換する。
【００７６】
次に、ステップＳ１１０では、符号化部１３２ａは、４つの周波数帯域のうちの所定の周波数帯域より低い低周波数帯域の分割データＦＤ１を符号化する。これにより、低周波数帯域の符号化データＣＤ１が生成される。
【００７７】
次に、ステップＳ１２０では、送信部１７０は、ステップＳ１１０で生成された低周波数帯域の符号化データＣＤ１を、受信側の画像処理装置２０１に送信する。これにより、例えば、図３に示した画像ＩＭＧＬに対応する第１の画像ＩＭＧ１が、受信側の画像処理装置２０１で生成され、表示画面３００に表示される。ステップＳ１２０の処理が実行された後、画像処理装置１０１の動作は、ステップＳ１３０に移る。
【００７８】
ステップＳ１３０では、選択部１５２は、画質の変更要求ＣＲＥＱが有るか否かを判定する。例えば、選択部１５２は、変更要求ＣＲＥＱを画像処理装置２０１から受けたか否かを判定する。画質の変更要求ＣＲＥＱが有る場合、画像処理装置１０１の動作は、ステップＳ１４０に移る。すなわち、選択部１５２が変更要求ＣＲＥＱを画像処理装置２０１から受けた場合、画像処理装置１０１の動作は、ステップＳ１４０に移る。一方、画質の変更要求ＣＲＥＱがない場合、画像処理装置１０１の動作は、ステップＳ１７０に移る。すなわち、選択部１５２が変更要求ＣＲＥＱを受けなかった場合、画像処理装置１０１の動作は、ステップＳ１７０に移る。
【００７９】
ステップＳ１４０では、選択部１５２は、変更要求ＣＲＥＱの画質に応じた高周波数帯域を選択する。例えば、選択部１５２は、４つの周波数帯域のうち、低周波数帯域を除いた周波数帯域を選択対象として、変更要求ＣＲＥＱにより要求された画質を実現する高周波数帯域を選択する。すなわち、選択部１５２は、受信側の画像処理装置２０１に送信済みの符号化データＣＤに対応する周波数帯域を、選択対象から除外する。これにより、画像処理装置１０１は、受信側の画像処理装置２０１に送信済みの周波数帯域の符号化データＣＤを再送信することを防止できる。この結果、画像処理装置１０１、２０１間の伝送路におけるデータ転送量の増加を抑制することができる。ステップＳ１４０の処理が実行された後、画像処理装置１０１の動作は、ステップＳ１５０に移る。
【００８０】
ステップＳ１５０では、符号化部１３２は、ステップＳ１４０で選択された高周波数帯域の分割データＦＤを符号化する。例えば、符号化部１３２ｂ、１３２ｃ、１３２ｄのうち、ステップＳ１４０で選択された高周波数帯域に対応する符号化部１３２は、対応する周波数帯域の分割データＦＤを符号化する。これにより、高周波数帯域の符号化データＣＤが生成される。ステップＳ１５０の処理が実行された後、画像処理装置１０１の動作は、ステップＳ１６０に移る。
【００８１】
ステップＳ１６０では、送信部１７０は、ステップＳ１５０で生成された高周波数帯域の符号化データＣＤを、受信側の画像処理装置２０１に送信する。これにより、例えば、図３に示した画像ＩＭＧＬより高画質な第２の画像ＩＭＧ２が表示画面３００に表示される。ステップＳ１６０の処理が実行された後、画像処理装置１０１の動作は、ステップＳ１７０に移る。
【００８２】
ステップＳ１７０では、画像処理装置１０１は、画質の変更要求ＣＲＥＱを待つか否かを判定する。例えば、画像処理装置１０１は、次の画像ＩＭＧｉを受信側の画像処理装置２０１に送信する画像処理を開始する場合、画質の変更要求ＣＲＥＱを待たないと判定する。画質の変更要求ＣＲＥＱを待つ場合、画像処理装置１０１の動作は、ステップＳ１３０に戻る。一方、画質の変更要求ＣＲＥＱを待たない場合、画像ＩＭＧｉを受信側の画像処理装置２０１に送信する画像処理は、終了する。
【００８３】
このように、画像処理装置１０１は、画像処理装置２０１から変更要求ＣＲＥＱを受けない場合、符号化データＣＤ１−ＣＤ４のうちの符号化データＣＤ１のみを画像処理装置２０１に送信する。したがって、例えば、変更要求ＣＲＥＱを用いずに全ての符号化データＣＤ１−ＣＤ４が送信側の画像処理装置から受信側の画像処理装置に送信される場合に比べて、画像処理装置１０１、２０１間の伝送路におけるデータ転送量の増加を抑制することができる。
【００８４】
また、画像処理装置１０１は、全ての符号化データＣＤ１−ＣＤ４を画像処理装置２０１に送信する場合でも、符号化データＣＤを少なくとも２回に分けて画像処理装置２０１に送信する。これにより、符号化データＣＤ１−ＣＤ４が１回で送信される場合に比べて、画像処理装置１０１、２０１間の伝送路における１回当たりのデータ転送量を低減することができる。
【００８５】
なお、画像処理装置１０１の動作は、図４に示す例に限定されない。例えば、ステップＳ１１０において、符号化部１３２ａ、１３２ｂ、１３２ｃ、１３２ｄは、４つの周波数帯域の分割データＦＤ１、ＦＤ２、ＦＤ３、ＦＤ４をそれぞれ符号化してもよい。これにより、低周波数帯域の符号化データＣＤ１と、ステップＳ１４０の処理における選択対象の周波数帯域の符号化データＣＤ２、ＣＤ３、ＣＤ４とが生成される。この場合、ステップＳ１５０の処理は省かれ、ステップＳ１６０において、送信部１７０は、ステップＳ１４０の処理で選択された高周波数帯域の符号化データＣＤを受信側の画像処理装置２０１に送信する。この場合、ステップＳ１５０の処理（符号化）が省かれるため、ステップＳ１５０の処理を実行する場合に比べて、変更要求ＣＲＥＱを受けてから高周波数帯域の符号化データＣＤを受信側の画像処理装置２０１に送信するまでの時間を短縮することができる。
【００８６】
図５は、図２に示した受信側の画像処理装置２０１の動作の一例を示す。なお、図５は、送信側の画像処理装置１０１から送信された画像を表示画面３００に表示する画像処理の一例を示す。図５に示す動作は、ハードウェアのみで実現されてもよく、画像処理プログラム等のソフトウェアによりハードウェアを制御することにより実現されてもよい。例えば、画像処理プログラムは、図５に示す動作をコンピュータに実行させてもよい。
【００８７】
図５に示す動作は、４つの周波数帯域の符号化データＣＤのうちの所定の周波数帯域より低い低周波数帯域の符号化データＣＤ１を受信部２１２が受信する度に実行される。すなわち、ステップＳ２００の処理が実行される前に、受信部２１２は、低周波数帯域の符号化データＣＤ１を送信側の画像処理装置１０１から受ける。
【００８８】
ステップＳ２００では、復号部２３２ａは、受信部２１２が受けた低周波数帯域の符号化データＣＤ１を分割データＦＤ１に復号する。
【００８９】
次に、ステップＳ２１０では、画像生成部２５２の周波数逆変換部２５６ａは、低周波数帯域の分割データＦＤ１から第１の画像ＩＭＧ１を生成する。例えば、周波数逆変換部２５６ａは、ステップＳ２００で復号された分割データＦＤ１に対してウェーブレット逆変換を実行し、第１の画像ＩＭＧ１を生成する。
【００９０】
次に、ステップＳ２２０では、表示制御部２７２は、ステップＳ２１０で生成された第１の画像ＩＭＧ１を表示画面３００に表示する。
【００９１】
次に、ステップＳ２３０では、変更要求部２９２は、表示画面３００を見ているユーザ等からの画質の変更要求ＵＲＥＱが有るか否かを判定する。例えば、変更要求部２９２は、変更要求ＵＲＥＱを受けたか否かを判定する。画質の変更要求ＵＲＥＱが有る場合、画像処理装置２０１の動作は、ステップＳ２４０に移る。すなわち、変更要求部２９２が変更要求ＵＲＥＱを受けた場合、画像処理装置２０１の動作は、ステップＳ２４０に移る。一方、画質の変更要求ＵＲＥＱがない場合、画像処理装置２０１の動作は、ステップＳ２３０に戻る。すなわち、画像処理装置２０１は、変更要求部２９２が変更要求ＵＲＥＱを受けるまで、ステップＳ２４０の処理を待機する。なお、ステップＳ２４０の処理を待機中に、次の画像ＩＭＧｉの低周波数帯域の符号化データＣＤ１が送信側の画像処理装置１０１から送信された場合、画像処理装置２０１は、次の画像ＩＭＧｉに対する処理をステップＳ２００から実行する。
【００９２】
ステップＳ２４０では、変更要求部２９２は、表示画面３００に表示された表示画像ＩＭＧｏの画質の変更を要求する変更要求ＣＲＥＱを送信側の画像処理装置１０１に出力する。例えば、変更要求部２９２は、ユーザの所望する画質に対応する周波数帯域を示す情報を含む変更要求ＣＲＥＱを変更要求ＵＲＥＣに基づいて生成し、生成した変更要求ＣＲＥＱを送信側の画像処理装置１０１に出力する。
【００９３】
ステップＳ２５０では、受信部２１２は、変更要求ＣＲＥＱで要求した画質に応じた高周波数帯域の符号化データＣＤを送信側の画像処理装置１０１から受ける。受信部２１２が受けた高周波数帯域の符号化データＣＤは、分離部２２０で周波数帯域毎に分離され、周波数帯域に対応する復号部２３２に転送される。
【００９４】
次に、ステップＳ２６０では、復号部２３２は、受信部２１２が受けた高周波数帯域の符号化データＣＤを分割データＦＤに復号する。例えば、復号部２３２ｂ、２３２ｃ、２３２ｄのうち、ステップＳ２５０の処理により符号化データＣＤが転送された復号部２３２は、受信部２１２から分離部２２０を介して受けた高周波数帯域の符号化データＣＤを分割データＦＤに復号する。
【００９５】
次に、ステップＳ２７０では、画像生成部２５２の周波数逆変換部２５６ｂは、低周波数帯域の分割データＦＤ１と高周波数帯域の分割データＦＤとから第２の画像ＩＭＧ２を生成する。例えば、周波数逆変換部２５６ｂは、ステップＳ２００で復号された分割データＦＤ１とステップＳ２６０で復号された分割データＦＤとを入力としてウェーブレット逆変換を実行し、第２の画像ＩＭＧ２を生成する。
【００９６】
次に、ステップＳ２８０では、表示制御部２７２は、ステップＳ２７０で生成された第２の画像ＩＭＧ２を表示画面３００に表示する。ステップＳ２８０の処理が実行された後、画像処理装置２０１の動作は、ステップＳ２３０に戻る。
【００９７】
このように、画像処理装置２０１が第１の画像ＩＭＧ１より高画質な第２の画像ＩＭＧ２を表示画面３００に表示する場合でも、符号化データＣＤは、少なくとも２回に分けて送信される。このため、画像処理装置１０１、２０１間の伝送路におけるデータ転送量の増加を抑制することができる。なお、画像処理装置２０１の動作は、図５に示す例に限定されない。
【００９８】
以上、図２から図５に示す実施形態においても、図１に示した実施形態と同様の効果を得ることができる。例えば、送信側の画像処理装置１０１は、画像ＩＭＧｉを複数の周波数帯域毎に符号化し、低周波数帯域の符号化データＣＤ１を受信側の画像処理装置２０１に送信する。低周波数帯域の符号化データＣＤ１を受けた画像処理装置２０１は、低周波数帯域の符号化データＣＤ１を復号した分割データＦＤ１を用いて第１の画像ＩＭＧ１を生成し、第１の画像ＩＭＧ１を表示画面３００に表示する。
【００９９】
また、画像処理装置２０１は、表示画面３００に表示された表示画像ＩＭＧｏ（例えば、第１の画像ＩＭＧ１）の画質を変更する場合、画質の変更要求ＣＲＥＱを画像処理装置１０１に出力する。画質の変更要求ＣＲＥＱを受けた画像処理装置１０１は、変更要求ＣＲＥＱで要求された画質に応じた高周波数帯域の符号化データＣＤを画像処理装置２０１に送信する。高周波数帯域の符号化データＣＤを受けた画像処理装置２０１は、低周波数帯域の分割データＦＤ１と高周波数帯域の符号化データＣＤを復号した分割データＦＤとを用いて第２の画像ＩＭＧ２を生成し、第２の画像ＩＭＧ２を表示画面３００に表示する。
【０１００】
このように、画像処理装置１０１は、表示画面３００に表示する表示画像ＩＭＧｏの画質に応じた周波数帯域の符号化データＣＤを画像処理装置２０１に送信する。これにより、例えば、変更要求ＣＲＥＱを用いずに全ての符号化データＣＤ１−ＣＤ４が送信側の画像処理装置から受信側の画像処理装置に送信される場合に比べて、画像処理装置１０１、２０１間の伝送路におけるデータ転送量の増加を抑制することができる。なお、画像処理装置２０１が第１の画像ＩＭＧ１より高画質な第２の画像ＩＭＧ２を表示画面３００に表示する場合でも、符号化データＣＤは、少なくとも２回に分けて送信される。このため、画像処理装置１０１、２０１間の伝送路におけるデータ転送量の増加を抑制することができる。
【０１０１】
図６は、画像処理装置、画像処理方法および画像処理プログラムの別の実施形態を示す。図１から図５で説明した要素と同一または同様の要素については、同一または同様の符号を付し、これ等については、詳細な説明を省略する。分割データＦＤ、ＦＤｐの末尾の数字および符号化データＣＤの末尾の数字の意味は、図１で説明した分割データＦＤの末尾の数字および符号化データＣＤの末尾の数字の意味と同じである。例えば、分割データＦＤ１および符号化データＣＤ１は、４つの周波数帯域のうちの最も低い周波数帯域の分割データＦＤおよび符号化データＣＤをそれぞれ示す。また、分割データＦＤ４および符号化データＣＤ４は、４つの周波数帯域のうちの最も高い周波数帯域の分割データＦＤおよび符号化データＣＤをそれぞれ示す。
【０１０２】
図６に示す画像処理システムＳＹＳ３は、図２に示した画像処理装置１０１、２０１の代わりに画像処理装置１０２、２０２Ａを有することを除いて、図２に示した画像処理システムＳＹＳ２と同一または同様である。例えば、画像処理システムＳＹＳ３は、伝送対象の画像ＩＭＧｉが記憶される記憶部１０と、表示画面３００を含む表示装置と、無線または有線の伝送路を介して互いに通信可能に接続される画像処理装置１０２、２０２Ａとを有する。画像処理装置１０２は、画像を受信側の画像処理装置２０２Ａに送信する。また、画像処理装置２０２Ａは、送信側の画像処理装置１０２から送信された画像を表示画面３００に表示する。図６に示す画像処理装置１０２、２０２Ａが実行する画像処理等の処理は、ハードウェアのみで実現されてもよく、画像処理プログラム等のソフトウェアによりハードウェアを制御することにより実現されてもよい。例えば、画像処理プログラムは、画像処理装置１０２、２０２Ａの各々に搭載されるＣＰＵ等に画像処理を実行させてもよい。
【０１０３】
先ず、画像処理装置１０２について説明する。画像処理装置１０２は、抽出部１２２が図２に示した画像処理装置１０１に追加されることを除いて、画像処理装置１０１と同一または同様である。例えば、画像処理装置１０２は、分割部１１０、複数の記憶部１２０、抽出部１２２、複数の符号化部１３２、選択部１５２、多重化部１６０および送信部１７２を有する。分割部１１０、記憶部１２０、符号化部１３２、選択部１５２、多重化部１６０および送信部１７２は、図２に示した分割部１１０、記憶部１２０、符号化部１３２、選択部１５２、多重化部１６０および送信部１７２と同一または同様である。このため、分割部１１０、記憶部１２０、符号化部１３２、選択部１５２、多重化部１６０および送信部１７２については、詳細な説明を省略する。
【０１０４】
抽出部１２２は、画質の変更要求ＣＲＥＱが受信側の画像処理装置２０２Ａから選択部１５２に送信される場合、変更要求ＣＲＥＱで画質が変更される領域（以下、変更領域とも称する）を示す領域情報ＡＩＮＦを画像処理装置２０２Ａから受ける。そして、抽出部１２２は、領域情報ＡＩＮＦを画像処理装置２０２Ａから受けた場合、選択対象の周波数帯域における変更領域の分割データＦＤｐ（ＦＤｐ２、ＦＤｐ３、ＦＤｐ４）を抽出する。例えば、抽出部１２２は、記憶部１２０ｂに記憶された分割データＦＤ２から、領域情報ＡＩＮＦが示す変更領域に対応する分割データＦＤｐ２を抽出し、分割データＦＤｐ２を符号化部１３２ｂに出力する。また、抽出部１２２は、記憶部１２０ｃに記憶された分割データＦＤ３から、領域情報ＡＩＮＦが示す変更領域に対応する分割データＦＤｐ３を抽出し、分割データＦＤｐ３を符号化部１３２ｃに出力する。抽出部１２２は、記憶部１２０ｄに記憶された分割データＦＤ４から、領域情報ＡＩＮＦが示す変更領域に対応する分割データＦＤｐ４を抽出し、分割データＦＤｐ４を符号化部１３２ｄに出力する。
【０１０５】
符号化部１３２は、抽出部１２２が領域情報ＡＩＮＦを受けた場合、抽出部１２２により抽出された変更領域の分割データＦＤｐを符号化して符号化データＣＤを生成する。例えば、符号化部１３２ｂは、抽出部１２２から受けた分割データＦＤｐ２を符号化して符号化データＣＤ２を生成し、符号化データＣＤ２を選択部１５２に出力する。符号化部１３２ｃは、抽出部１２２から受けた分割データＦＤｐ３を符号化して符号化データＣＤ３を生成し、符号化データＣＤ３を選択部１５２に出力する。符号化部１３２ｄは、抽出部１２２から受けた分割データＦＤｐ４を符号化して符号化データＣＤ４を生成し、符号化データＣＤ４を選択部１５２に出力する。
【０１０６】
変更領域が画像ＩＭＧｉの１画面より小さい場合、１画面分の領域の分割データＦＤ２、ＦＤ３、ＦＤ４を符号化する場合に比べて、符号化データＣＤ２、ＣＤ３、ＣＤ４のデータ量を小さくすることができる。
【０１０７】
次に、画像処理装置２０２Ａについて説明する。画像処理装置２０２Ａは、図２に示した変更要求部２９２の代わりに変更要求部２９４を有する。さらに、画像処理装置２０２Ａでは、抽出部２４２および合成部２６０が図２に示した画像処理装置２０１に追加される。画像処理装置２０２Ａのその他の構成は、図２に示した画像処理装置２０１と同一または同様である。例えば、画像処理装置２０２Ａは、受信部２１２、分離部２２０、複数の復号部２３２、複数の記憶部２４０、抽出部２４２、画像生成部２５２、合成部２６０、表示制御部２７２および変更要求部２９４を有する。
【０１０８】
受信部２１２、分離部２２０、復号部２３２、記憶部２４０、画像生成部２５２および表示制御部２７２は、図２に示した受信部２１２、分離部２２０、復号部２３２、記憶部２４０、画像生成部２５２および表示制御部２７２と同一または同様である。このため、受信部２１２、分離部２２０、復号部２３２、記憶部２４０、画像生成部２５２および表示制御部２７２については、詳細な説明を省略する。
【０１０９】
変更要求部２９４は、第１の画像ＩＭＧ１内の一部の領域（変更領域）に対する画質の変更を要求する場合、一部の領域を示す領域情報ＡＩＮＦを変更要求ＣＲＥＱとともに送信側の画像処理装置１０２に出力する。また、変更要求部２９４は、領域情報ＡＩＮＦを抽出部２４２および合成部２６０に出力する。なお、変更要求部２９４は、表示画面３００に表示される表示画像ＩＭＧｏの全領域の画質を変更する場合、画質の変更対象が全領域であることを示す領域情報ＡＩＮＦを、抽出部２４２、合成部２６０および画像処理装置１０２に出力してもよい。
【０１１０】
例えば、表示画面３００に表示された第１の画像ＩＭＧ１を見ているユーザは、第１の画像ＩＭＧ１内の一部の領域の画質を高くするための操作を画像処理装置２０２Ａに接続されたマウス等の入力装置（図示せず）を用いて実行する。これにより、例えば、ユーザの所望する範囲を所望の画質に変更するための変更要求ＵＲＥＣが画像処理装置２０２Ａの変更要求部２９４に通知される。そして、変更要求部２９４は、変更要求ＵＲＥＣに基づいて、領域情報ＡＩＮＦおよび変更要求ＣＲＥＱを画像処理装置１０２に出力する。
【０１１１】
これにより、受信部２１２は、変更要求ＣＲＥＱおよび領域情報ＡＩＮＦに基づいて送信側の画像処理装置１０２から送信される高周波数帯域における一部の領域（変更領域）の符号化データＣＤを受ける。したがって、復号部２３２ｂ、２３２ｃ、２３２ｄの少なくともいずれかは、受信部２１２が高周波数帯域における一部の領域の符号化データＣＤを送信側の画像処理装置１０２から受けた場合、高周波数帯域における一部の領域の符号化データＣＤを復号する。
【０１１２】
例えば、復号部２３２ｂは、高周波数帯域における一部の領域の符号化データＣＤ２を受信部２１２から分離部２２０を介して受けた場合、符号化データＣＤ２を分割データＦＤｐ２に復号し、分割データＦＤｐ２を記憶部２４０ｂに格納する。復号部２３２ｃは、高周波数帯域における一部の領域の符号化データＣＤ３を受信部２１２から分離部２２０を介して受けた場合、符号化データＣＤ３を分割データＦＤｐ３に復号し、分割データＦＤｐ３を記憶部２４０ｃに格納する。復号部２３２ｄは、高周波数帯域における一部の領域の符号化データＣＤ４を受信部２１２から分離部２２０を介して受けた場合、符号化データＣＤ４を分割データＦＤｐ４に復号し、分割データＦＤｐ４を記憶部２４０ｄに格納する。
【０１１３】
抽出部２４２は、領域情報ＡＩＮＦを変更要求部２９４から受け、低周波数帯域の分割データＦＤ１を記憶部２４０ａから受ける。そして、抽出部２４２は、低周波数帯域の分割データＦＤ１から、領域情報ＡＩＮＦで示される一部の領域に対応する分割データＦＤｐ１を抽出し、分割データＦＤｐ１を画像生成部２５２の周波数逆変換部２５６ｂに出力する。このように、抽出部２４２は、第１の画像ＩＭＧ１内の一部の領域に対する画質の変更を変更要求部２９４が要求する場合、低周波数帯域の分割データＦＤ１から一部の領域に対応する分割データＦＤｐ１を抽出する。
【０１１４】
画像生成部２５２は、周波数逆変換部２５６（２５６ａ、２５６ｂ）を有する。例えば、周波数逆変換部２５６ａは、記憶部２４０ａに記憶された分割データＦＤ１に対してウェーブレット逆変換を実行し、第１の画像ＩＭＧ１を生成する。そして、周波数逆変換部２５６ａは、第１の画像ＩＭＧ１を表示制御部２７２に出力する。
【０１１５】
周波数逆変換部２５６ｂは、高周波数帯域の符号化データＣＤ２−ＣＤｍを受信部２１２が受けた場合、抽出部２４２から受けた分割データＦＤｐ１と記憶部２４０に記憶された分割データＦＤｐとを入力としてウェーブレット逆変換を実行する。これにより、領域情報ＡＩＮＦで示される一部の領域の画像が第２の画像ＩＭＧ２として生成される。そして、周波数逆変換部２５６ｂは、第２の画像ＩＭＧ２を合成部２６０に出力する。
【０１１６】
例えば、高周波数帯域の符号化データＣＤ２−ＣＤｍが符号化データＣＤ２、ＣＤ３、ＣＤ４である場合、周波数逆変換部２５６ｂは、記憶部２４０ｂ、２４０ｃ、２４０ｄから分割データＦＤｐ２、ＦＤｐ３、ＦＤｐ４をそれぞれ受ける。そして、周波数逆変換部２５６ｂは、抽出部２４２から受けた分割データＦＤｐ１と記憶部２４０ｂ、２４０ｃ、２４０ｄから受けた分割データＦＤｐ２、ＦＤｐ３、ＦＤｐ４とを入力としてウェーブレット逆変換を実行して第２の画像ＩＭＧ２を生成する。第２の画像ＩＭＧ２は、周波数逆変換部２５６ｂから合成部２６０に出力され、第１の画像ＩＭＧ１に合成される。これにより、第２の画像ＩＭＧ２を第１の画像ＩＭＧ１に合成した合成画像が表示画像ＩＭＧｏとして表示画面３００に表示される。
【０１１７】
なお、高周波数帯域の符号化データＣＤ２−ＣＤｍが符号化データＣＤ２、ＣＤ３である場合、周波数逆変換部２５６ｂは、分割データＦＤｐ１、ＦＤｐ２、ＦＤｐ３を入力としてウェーブレット逆変換を実行して第２の画像ＩＭＧ２を生成する。また、高周波数帯域の符号化データＣＤ２−ＣＤｍが符号化データＣＤ２である場合、周波数逆変換部２５６ｂは、分割データＦＤｐ１、ＦＤｐ２を入力としてウェーブレット逆変換を実行して第２の画像ＩＭＧ２を生成する。
【０１１８】
このように、画像生成部２５２は、第２の画像ＩＭＧ２として一部の領域の画像を、低周波数帯域における一部の領域の分割データＦＤｐと高周波数帯域における一部の領域の分割データＦＤｐとを用いて生成する。
【０１１９】
合成部２６０は、第２の画像ＩＭＧ２を第１の画像ＩＭＧ１に合成して合成画像を生成する。例えば、合成部２６０は、第１の画像ＩＭＧ１が記憶された記憶部２７４における一部の領域に、第２の画像ＩＭＧ２を上書きする。これにより、第２の画像ＩＭＧ２を第１の画像ＩＭＧ１に合成した合成画像が表示画像ＩＭＧｏとして記憶部２７４に格納される。この結果、第２の画像ＩＭＧ２を第１の画像ＩＭＧ１に合成した合成画像が、表示画像ＩＭＧｏとして表示画面３００に表示される。すなわち、表示制御部２７２は、第２の画像ＩＭＧが生成された場合、第２の画像ＩＭＧ２を第１の画像ＩＭＧ１に合成した合成画像を、表示画面３００に表示する。
【０１２０】
このように、画像処理システムＳＹＳ３は、領域情報ＡＩＮＦで示される領域が画像ＩＭＧｉの１画面より小さい場合、１画面分の領域の分割データＦＤを符号化する場合に比べて、画像処理装置１０２、２０２Ａ間の伝送路におけるデータ転送量を低減できる。なお、画像処理装置１０２、２０２Ａの構成は、図６に示す例に限定されない。例えば、抽出部２４２は、画像生成部２５２内に設けられてもよい。
【０１２１】
図７は、図６に示した画像処理システムＳＹＳ３による画像の画質変更の概要を示す。領域ＡＲは、変更要求ＣＲＥＱで画質が変更される変更領域である。図７では、領域ＡＲの画質を元の画像ＩＭＧｉの画質に変更する例を説明する。
【０１２２】
先ず、送信側の画像処理装置１０２は、低周波数帯域の画像ＩＭＧＬに対応する分割データＦＤ１を符号化した符号化データＣＤ１を受信側の画像処理装置２０２Ａに送信する。これにより、画像ＩＭＧＬに対応する第１の画像ＩＭＧ１が表示画像ＩＭＧｏとして表示画面３００にされる。表示画像ＩＭＧｏの領域ＡＲの画質を変更する場合、受信側の画像処理装置２０２Ａは、領域ＡＲを示す領域情報ＡＩＮＦを、変更要求ＣＲＥＱとともに送信側の画像処理装置１０２に出力する。
【０１２３】
これにより、受信側の画像処理装置２０２Ａは、画像ＩＭＧＨ１、ＩＭＧＨ２、ＩＭＧＨ３の領域ＡＲに対応する分割データＦＤｐ２、ＦＤｐ３、ＦＤｐ４を符号化した符号化データＣＤ２、ＣＤ３、ＣＤ４を送信側の画像処理装置１０２から受ける。また、受信側の画像処理装置２０２Ａは、第１の画像ＩＭＧ１の領域ＡＲに対応する分割データＦＤｐ１を抽出し、分割データＦＤｐ１、ＦＤｐ２、ＦＤｐ３、ＦＤｐ４を入力としてウェーブレット逆変換を実行する。これにより、領域ＡＲの画像が第２の画像ＩＭＧ２として生成される。
【０１２４】
そして、受信側の画像処理装置２０２Ａは、第２の画像ＩＭＧ２を第１の画像ＩＭＧ１に合成して合成画像を生成し、合成画像を表示画像ＩＭＧｏとして表示画面３００に表示する。これにより、第１の画像ＩＭＧ１より高画質な領域ＡＲの画像（第２の画像ＩＭＧ２）が表示画面３００に表示される。領域ＡＲは、第１の画像ＩＭＧ１より解像度が高いため、第１の画像ＩＭＧ１に上書きした場合、第１の画像ＩＭＧ１に対して拡大されて表示される。
【０１２５】
図８は、図６に示した送信側の画像処理装置１０２の動作の一例を示す。なお、図８は、画像を受信側の画像処理装置２０２Ａに送信する画像処理の一例を示す。図８に示す動作は、ハードウェアのみで実現されてもよく、画像処理プログラム等のソフトウェアによりハードウェアを制御することにより実現されてもよい。例えば、画像処理プログラムは、図８に示す動作をコンピュータに実行させてもよい。
【０１２６】
また、図８に示す動作では、ステップＳ１３２が図４に示した動作に追加され、図４に示したステップＳ１５０の処理の代わりにステップＳ１５２の処理が実行される。その他の動作は、図４に示した動作と同一または同様である。図４で説明したステップと同一または同様のステップについては、同一または同様の符号を付し、これ等については、詳細な説明を省略する。
【０１２７】
ステップＳ１００−Ｓ１３０は、図４で説明したステップＳ１００−Ｓ１３０と同一または同様である。例えば、ステップＳ１３０では、選択部１５２は、画質の変更要求ＣＲＥＱが有るか否かを判定する。画質の変更要求ＣＲＥＱが有る場合、画像処理装置１０２の動作は、ステップＳ１３２に移る。すなわち、選択部１５２が変更要求ＣＲＥＱを画像処理装置２０１から受けた場合、画像処理装置１０２の動作は、ステップＳ１３２に移る。一方、画質の変更要求ＣＲＥＱがない場合、画像処理装置１０２の動作は、ステップＳ１７０に移る。すなわち、選択部１５２が変更要求ＣＲＥＱを受けなかった場合、画像処理装置１０２の動作は、ステップＳ１７０に移る。
【０１２８】
ステップＳ１３２では、抽出部１２２は、図６で説明したように、画質を変更する変更領域ＡＲに対応する分割データＦＤｐ２、ＦＤｐ３、ＦＤｐ４を、分割データＦＤ２、ＦＤ３、ＦＤ４からそれぞれ抽出する。
【０１２９】
次に、ステップＳ１４０では、選択部１５２は、変更要求ＣＲＥＱ応じた高周波数帯域を選択する。
【０１３０】
次に、ステップＳ１５２では、符号化部１３２は、高周波数帯域における変更領域ＡＲの分割データＦＤｐを符号化する。例えば、符号化部１３２は、ステップＳ１４０で選択された高周波数帯域の分割データＦＤのうち、ステップＳ１３２で抽出された分割データＦＤｐを符号化する。ステップＳ１５２の処理が実行された後、画像処理装置１０２の動作は、ステップＳ１６０に移る。
【０１３１】
ステップＳ１６０−Ｓ１７０は、図４で説明したステップＳ１６０−Ｓ１７０と同一または同様である。
【０１３２】
このように、図８に示す動作では、画像処理装置１０２は、変更領域ＡＲに対応する分割データＦＤｐを抽出し、抽出した分割データＦＤｐを符号化して変更領域ＡＲに対応する符号化データＣＤを生成する。このため、画像処理装置１０２は、分割データＦＤの符号化後に、変更領域ＡＲに対応する符号化データＣＤを抽出する場合に比べて、変更領域ＡＲに対応するデータを容易に特定できる。
【０１３３】
なお、画像処理装置１０２の動作は、図８に示す例に限定されない。例えば、ステップＳ１３２の処理は、ステップＳ１４０の後に実行されてもよい。この場合、抽出部１２２は、ステップＳ１４０で選択された高周波数帯域の分割データＦＤから、変更領域ＡＲに対応する分割データＦＤｐを抽出してもよい。
【０１３４】
図９は、図６に示した受信側の画像処理装置２０２Ａの動作の一例を示す。なお、図９は、送信側の画像処理装置１０２から送信された画像を表示画面３００に表示する画像処理の一例を示す。図９に示す動作は、ハードウェアのみで実現されてもよく、画像処理プログラム等のソフトウェアによりハードウェアを制御することにより実現されてもよい。例えば、画像処理プログラムは、図９に示す動作をコンピュータに実行させてもよい。
【０１３５】
また、図９に示す動作では、ステップＳ２４４、Ｓ２７４が図５に示した動作に追加され、図５に示したステップＳ２４０、Ｓ２５０、Ｓ２７０、Ｓ２８０の処理の代わりにステップＳ２４２、Ｓ２５２、Ｓ２７２、Ｓ２８２の処理が実行される。その他の動作は、図５に示した動作と同一または同様である。図５で説明したステップと同一または同様のステップについては、同一または同様の符号を付し、これ等については、詳細な説明を省略する。例えば、図９に示す動作は、４つの周波数帯域の符号化データＣＤのうちの所定の周波数帯域より低い低周波数帯域の符号化データＣＤ１を受信部２１２が受信する度に実行される。すなわち、ステップＳ２００の処理が実行される前に、受信部２１２は、低周波数帯域の符号化データＣＤ１を送信側の画像処理装置１０２から受ける。
【０１３６】
ステップＳ２００−Ｓ２３０は、図５で説明したステップＳ２００−Ｓ２３０と同一または同様である。例えば、ステップＳ２３０では、変更要求部２９４は、表示画面３００を見ているユーザ等からの画質の変更要求ＵＲＥＱが有るか否かを判定する。画質の変更要求ＵＲＥＱが有る場合、画像処理装置２０２Ａの動作は、ステップＳ２４２に移る。すなわち、変更要求部２９４が変更要求ＵＲＥＱを受けた場合、画像処理装置２０２Ａの動作は、ステップＳ２４２に移る。一方、画質の変更要求ＵＲＥＱがない場合、画像処理装置２０２Ａの動作は、ステップＳ２３０に戻る。すなわち、画像処理装置２０２Ａは、変更要求部２９４が変更要求ＵＲＥＱを受けるまで、ステップＳ２４２の処理を待機する。なお、ステップＳ２４２の処理を待機中に、次の画像ＩＭＧｉの低周波数帯域の符号化データＣＤ１が送信側の画像処理装置１０２から送信された場合、画像処理装置２０２Ａは、次の画像ＩＭＧｉに対する処理をステップＳ２００から実行する。
【０１３７】
ステップＳ２４２では、変更要求部２９４は、図６で説明したように、第１の画像ＩＭＧ１内の一部の領域ＡＲ（変更領域ＡＲ）に対する画質の変更を要求する変更要求ＣＲＥＱと変更領域ＡＲを示す領域情報ＡＩＮＦとを送信側の画像処理装置１０２に出力する。
【０１３８】
次に、ステップＳ２４４では、抽出部２４２は、低周波数帯域の分割データＦＤ１から変更領域ＡＲの分割データＦＤｐ１を抽出する。例えば、抽出部２４２は、低周波数帯域の分割データＦＤ１から、領域情報ＡＩＮＦで示される変更領域ＡＲに対応する分割データＦＤｐ１を抽出する。
【０１３９】
次に、ステップＳ２５２では、受信部２１２は、変更要求ＣＲＥＱで要求した画質に応じた高周波数帯域における変更領域ＡＲの符号化データＣＤを送信側の画像処理装置１０２から受ける。受信部２１２が受けた高周波数帯域における変更領域ＡＲの符号化データＣＤは、分離部２２０で周波数帯域毎に分離され、周波数帯域に対応する復号部２３２に転送される。
【０１４０】
次に、ステップＳ２６０では、復号部２３２は、受信部２１２が受けた高周波数帯域の符号化データＣＤを分割データＦＤｐに復号する。すなわち、復号部２３２は、ステップＳ２５２で受信部２１２が受けた高周波数帯域における変更領域ＡＲの符号化データＣＤを、周波数帯域毎に分割データＦＤｐに復号する。
【０１４１】
次に、ステップＳ２７２では、画像生成部２５２の周波数逆変換部２５６ｂは、第２の画像ＩＭＧ２として変更領域ＡＲの画像を、低周波数帯域の分割データＦＤｐ１と高周波数帯域の分割データＦＤｐとから生成する。例えば、周波数逆変換部２５６ｂは、ステップＳ２４４で抽出された分割データＦＤｐ１とステップＳ２６０で復号された分割データＦＤｐとを入力としてウェーブレット逆変換を実行し、第２の画像ＩＭＧ２を生成する。
【０１４２】
次に、ステップＳ２７４では、合成部２６０は、第２の画像ＩＭＧ２を第１の画像ＩＭＧ１に合成して合成画像を生成する。
【０１４３】
次に、ステップＳ２８２では、表示制御部２７２は、ステップＳ２７４で生成された合成画像を表示画面３００に表示する。すなわち、表示制御部２７２は、第２の画像ＩＭＧ２を第１の画像ＩＭＧ１に合成した合成画像を、表示画面３００に表示する。ステップＳ２８２の処理が実行された後、画像処理装置２０２Ａの動作は、ステップＳ２３０に戻る。
【０１４４】
このように、画像処理装置２０２Ａが第１の画像ＩＭＧ１より高画質な第２の画像ＩＭＧ２を表示画面３００に表示する場合でも、符号化データＣＤは、少なくとも２回に分けて送信される。このため、画像処理装置１０２、２０２Ａ間の伝送路におけるデータ転送量の増加を抑制することができる。なお、画像処理装置２０２Ａの動作は、図９に示す例に限定されない。
【０１４５】
以上、図６から図９に示す実施形態においても、図２から図５に示した実施形態と同様の効果を得ることができる。例えば、画像処理装置１０２、２０２Ａ間の伝送路におけるデータ転送量の増加を抑制することができる。さらに、画像処理装置１０２は、変更要求ＣＲＥＱで画質が変更される変更領域ＡＲの符号化データＣＤを生成し、変更要求ＣＲＥＱに基づいて選択した高周波数帯域における変更領域ＡＲの符号化データＣＤを画像処理装置２０２Ａに送信する。これにより、例えば、変更領域ＡＲが画像ＩＭＧｉの１画面より小さい場合、高周波数帯域における１画面分の領域の符号化データＣＤを画像処理装置２０２Ａに送信する場合に比べて、画像処理装置１０２、２０２Ａ間の伝送路におけるデータ転送量を低減できる。
【０１４６】
図１０は、画像処理装置、画像処理方法および画像処理プログラムの別の実施形態を示す。図１から図９で説明した要素と同一または同様の要素については、同一または同様の符号を付し、これ等については、詳細な説明を省略する。分割データＦＤ、ＦＤｐの末尾の数字および符号化データＣＤの末尾の数字の意味は、図１で説明した分割データＦＤの末尾の数字および符号化データＣＤの末尾の数字の意味と同じである。
【０１４７】
図１０に示す画像処理システムＳＹＳ４は、図６に示した画像処理装置２０２Ａの代わりに画像処理装置２０２Ｂを有することを除いて、図６に示した画像処理システムＳＹＳ３と同一または同様である。例えば、画像処理システムＳＹＳ４は、伝送対象の画像ＩＭＧｉが記憶される記憶部１０と、表示画面３００を含む表示装置と、無線または有線の伝送路を介して互いに通信可能に接続される画像処理装置１０２、２０２Ｂとを有する。
【０１４８】
画像処理装置１０２は、画像を受信側の画像処理装置２０２Ｂに送信する。また、画像処理装置２０２Ｂは、送信側の画像処理装置１０２から送信された画像を表示画面３００に表示する。図１０に示す画像処理装置１０２、２０２Ｂが実行する画像処理等の処理は、ハードウェアのみで実現されてもよく、画像処理プログラム等のソフトウェアによりハードウェアを制御することにより実現されてもよい。例えば、画像処理プログラムは、画像処理装置１０２、２０２Ｂの各々に搭載されるＣＰＵ等に画像処理を実行させてもよい。
【０１４９】
画像処理装置１０２は、図６に示した画像処理装置１０２と同一または同様である。このため、画像処理装置２０２Ｂについて説明する。なお、画像処理装置１０２、２０２Ｂの構成は、図１０に示す例に限定されない。
【０１５０】
画像処理装置２０２Ｂでは、拡大部２６２が図６に示した画像処理装置２０２Ａに追加される。また、画像処理装置２０２Ｂは、合成部２６４を図６に示した合成部２６０の代わりに有する。画像処理装置２０２Ｂのその他の構成は、図６に示した画像処理装置２０２Ａと同一または同様である。例えば、画像処理装置２０２Ｂは、受信部２１２、分離部２２０、複数の復号部２３２、複数の記憶部２４０、抽出部２４２、画像生成部２５２、拡大部２６２、合成部２６４、表示制御部２７２および変更要求部２９４を有する。
【０１５１】
受信部２１２、分離部２２０、復号部２３２、記憶部２４０、抽出部２４２および画像生成部２５２は、図６に示した受信部２１２、分離部２２０、復号部２３２、記憶部２４０、抽出部２４２および画像生成部２５２と同一または同様である。また、表示制御部２７２および変更要求部２９４は、図６に示した表示制御部２７２および変更要求部２９４と同一または同様である。このため、受信部２１２、分離部２２０、復号部２３２、記憶部２４０、抽出部２４２、画像生成部２５２、表示制御部２７２および変更要求部２９４については、詳細な説明を省略する。
【０１５２】
拡大部２６２は、変更要求部２９４が変更要求ＣＲＥＱを送信側の画像処理装置１０２に出力した場合、第１の画像ＩＭＧ１における一部の領域ＡＲ（変更領域ＡＲ）のサイズが第２の画像ＩＭＧ２のサイズに合うように、第１の画像ＩＭＧ１を拡大する。例えば、拡大部２６２は、周波数逆変換部２５６ａから受けた第１の画像ＩＭＧ１を保持する保持部を有する。そして、拡大部２６２は、第２の画像ＩＭＧ２のサイズ、すなわち、画質変更後の変更領域ＡＲのサイズと第１の画像ＩＭＧ１における変更領域ＡＲのサイズとの比に基づく倍率で第１の画像ＩＭＧ１を拡大する。これにより、拡大後の第１の画像ＩＭＧ１ｅが生成される。拡大部２６２は、拡大後の第１の画像ＩＭＧ１ｅを合成部２６４に出力する。
【０１５３】
合成部２６４は、第２の画像ＩＭＧ２を拡大後の第１の画像ＩＭＧ１ｅに合成して合成画像ＩＭＧｓを生成する。例えば、合成部２６４は、拡大後の第１の画像ＩＭＧ１ｅにおける変更領域ＡＲを、第２の画像ＩＭＧ２に置き換える。これにより、第２の画像ＩＭＧ２を拡大後の第１の画像ＩＭＧ１ｅに合成した合成画像ＩＭＧｓが表示画像ＩＭＧｏとして記憶部２７４に格納される。この結果、第２の画像ＩＭＧ２を拡大後の第１の画像ＩＭＧ１ｅに合成した合成画像ＩＭＧｓが、表示画像ＩＭＧｏとして表示画面３００に表示される。すなわち、表示制御部２７２は、第２の画像ＩＭＧが生成された場合、第２の画像ＩＭＧ２を拡大後の第１の画像ＩＭＧ１ｅに合成した合成画像ＩＭＧｓを、表示画面３００に表示する。
【０１５４】
図１１は、図１０に示した画像処理システムＳＹＳ４による画像の画質変更の概要を示す。領域ＡＲは、変更要求ＣＲＥＱで画質が変更される変更領域である。画像処理システムＳＹＳ４による画像の画質変更の動作において、第２の画像ＩＭＧ２が生成されるまでの動作は、図７で説明した動作と同一または同様である。このため、図１１では、第２の画像ＩＭＧ２が生成された後の動作を中心に説明する。
【０１５５】
受信側の画像処理装置２０２Ｂの拡大部２６２は、第２の画像ＩＭＧ２のサイズと第１の画像ＩＭＧ１における領域ＡＲのサイズとの比に基づく倍率で第１の画像ＩＭＧ１を拡大する。これにより、拡大後の第１の画像ＩＭＧ１ｅが生成される。
【０１５６】
画像処理装置２０２Ｂの合成部２６４は、第２の画像ＩＭＧ２を拡大後の第１の画像ＩＭＧ１ｅに合成して合成画像ＩＭＧｓを生成する。そして、画像処理装置２０２Ｂは、合成画像ＩＭＧｓを表示画像ＩＭＧｏとして表示画面３００に表示する。これにより、第１の画像ＩＭＧ１より高画質な領域ＡＲの画像（第２の画像ＩＭＧ２）が表示画面３００に表示される。図１１に示す例では、第１の画像ＩＭＧ１が第２の画像ＩＭＧ２のサイズに基づいて拡大されるため、表示画面３００に表示される表示画像ＩＭＧｏの違和感を図７に示した例に比べて低減することができる。
【０１５７】
図１２は、図１０に示した受信側の画像処理装置２０２Ｂの動作の一例を示す。なお、図１２は、送信側の画像処理装置１０２から送信された画像を表示画面３００に表示する画像処理の一例を示す。図１２に示す動作は、ハードウェアのみで実現されてもよく、画像処理プログラム等のソフトウェアによりハードウェアを制御することにより実現されてもよい。例えば、画像処理プログラムは、図１２に示す動作をコンピュータに実行させてもよい。
【０１５８】
また、図１２に示す動作では、ステップＳ２７６が図９に示した動作に追加され、図９に示したステップＳ２７４の処理の代わりにステップＳ２７８の処理が実行される。その他の動作は、図９に示した動作と同一または同様である。図９で説明したステップと同一または同様のステップについては、同一または同様の符号を付し、これ等については、詳細な説明を省略する。例えば、図１２に示す動作は、４つの周波数帯域の符号化データＣＤのうちの所定の周波数帯域より低い低周波数帯域の符号化データＣＤ１を受信部２１２が受信する度に実行される。すなわち、ステップＳ２００の処理が実行される前に、受信部２１２は、低周波数帯域の符号化データＣＤ１を送信側の画像処理装置１０２から受ける。
【０１５９】
ステップＳ２００−Ｓ２７２は、図５で説明したステップＳ２００−Ｓ２７２と同一または同様である。ステップＳ２７２の処理が実行された後、画像処理装置２０２Ｂの動作は、ステップＳ２７６に移る。
【０１６０】
ステップＳ２７６では、拡大部２６２は、第１の画像ＩＭＧ１における変更領域ＡＲのサイズが第２の画像ＩＭＧ２のサイズに合うように第１の画像ＩＭＧ１を拡大する。
【０１６１】
次に、ステップＳ２７８では、合成部２６４は、第２の画像ＩＭＧ２を拡大後の第１の画像ＩＭＧ１ｅに合成して合成画像ＩＭＧｓを生成する。
【０１６２】
次に、ステップＳ２８２では、表示制御部２７２は、ステップＳ２７８で生成された合成画像ＩＭＧｓを表示画面３００に表示する。すなわち、表示制御部２７２は、第２の画像ＩＭＧ２を拡大後の第１の画像ＩＭＧ１ｅに合成した合成画像ＩＭＧｓを、表示画面３００に表示する。ステップＳ２８２の処理が実行された後、画像処理装置２０２Ｂの動作は、ステップＳ２３０に戻る。
【０１６３】
このように、画像処理装置２０２Ｂが第１の画像ＩＭＧ１より高画質な第２の画像ＩＭＧ２を表示画面３００に表示する場合でも、符号化データＣＤは、少なくとも２回に分けて送信される。このため、画像処理装置１０２、２０２Ｂ間の伝送路におけるデータ転送量の増加を抑制することができる。また、画像処理装置２０２Ｂは、第２の画像ＩＭＧ２のサイズに基づいて拡大した第１の画像ＩＭＧ１ｅに第２の画像ＩＭＧ２を合成するため、第１の画像ＩＭＧ１を拡大せずに第２の画像ＩＭＧ２を合成する場合に比べて、合成画像ＩＭＧｓの違和感を低減できる。なお、画像処理装置２０２Ｂの動作は、図１２に示す例に限定されない。
【０１６４】
以上、図１０から図１２に示す実施形態においても、図２から図５に示した実施形態と同様の効果を得ることができる。例えば、画像処理装置１０２、２０２Ｂ間の伝送路におけるデータ転送量の増加を抑制することができる。さらに、画像処理装置２０２Ｂは、第１の画像ＩＭＧ１における変更領域ＡＲのサイズが第２の画像ＩＭＧ２のサイズに合うように拡大した第１の画像ＩＭＧ１ｅに第２の画像ＩＭＧ２を合成して、合成画像ＩＭＧｓを生成する。このため、画像処理装置２０２Ｂは、第１の画像ＩＭＧ１を拡大せずに第２の画像ＩＭＧ２を合成する場合に比べて、合成画像ＩＭＧｓ（すなわち、表示画面３００に表示される表示画像ＩＭＧｏ）の違和感を低減できる。
【０１６５】
図１３は、画像処理装置、画像処理方法および画像処理プログラムの別の実施形態を示す。図１から図１２で説明した要素と同一または同様の要素については、同一または同様の符号を付し、これ等については、詳細な説明を省略する。分割データＦＤの末尾の数字および符号化データＣＤの末尾の数字の意味は、図１で説明した分割データＦＤの末尾の数字および符号化データＣＤの末尾の数字の意味と同じである。例えば、分割データＦＤ１および符号化データＣＤ１は、４つの周波数帯域のうちの最も低い周波数帯域の分割データＦＤおよび符号化データＣＤをそれぞれ示す。また、分割データＦＤ４および符号化データＣＤ４は、４つの周波数帯域のうちの最も高い周波数帯域の分割データＦＤおよび符号化データＣＤをそれぞれ示す。また、暗号化データＣＣＤの末尾の数字は、符号化データＣＤの末尾の数字に対応する。
【０１６６】
図１３に示す画像処理システムＳＹＳ５は、図２に示した画像処理装置１０１、２０１の代わりに画像処理装置１０３、２０３を有することを除いて、図２に示した画像処理システムＳＹＳ２と同一または同様である。例えば、画像処理システムＳＹＳ５は、伝送対象の画像ＩＭＧｉが記憶される記憶部１０と、表示画面３００を含む表示装置と、無線または有線の伝送路を介して互いに通信可能に接続される画像処理装置１０３、２０３とを有する。画像処理装置１０３は、画像を受信側の画像処理装置２０３に送信する。また、画像処理装置２０３は、送信側の画像処理装置１０３から送信された画像を表示画面３００に表示する。図１３に示す画像処理装置１０３、２０３が実行する画像処理等の処理は、ハードウェアのみで実現されてもよく、画像処理プログラム等のソフトウェアによりハードウェアを制御することにより実現されてもよい。例えば、画像処理プログラムは、画像処理装置１０３、２０３の各々に搭載されるＣＰＵ等に画像処理を実行させてもよい。
【０１６７】
先ず、画像処理装置１０３について説明する。画像処理装置１０３は、複数の暗号化部１４０（１４０ｂ、１４０ｃ、１４０ｄ）が図２に示した画像処理装置１０１に追加されることを除いて、画像処理装置１０１と同一または同様である。例えば、画像処理装置１０３は、分割部１１０、複数の記憶部１２０、複数の符号化部１３２、複数の暗号化部１４０、選択部１５２、多重化部１６０および送信部１７２を有する。分割部１１０、記憶部１２０、符号化部１３２、選択部１５２、多重化部１６０および送信部１７２は、図２に示した分割部１１０、記憶部１２０、符号化部１３２、選択部１５２、多重化部１６０および送信部１７２と同一または同様である。このため、分割部１１０、記憶部１２０、符号化部１３２、選択部１５２、多重化部１６０および送信部１７２については、詳細な説明を省略する。
【０１６８】
暗号化部１４０は、受信側の画像処理装置２０３に送信する符号化データＣＤのうち、高周波数帯域の符号化データＣＤを暗号化する。これにより、暗号化された符号化データＣＣＤ（以下、暗号化データＣＣＤとも称する）が生成される。例えば、暗号化部１４０ｂは、符号化部１３２ｂから受けた符号化データＣＤ２を暗号化して暗号化データＣＣＤ２を生成し、暗号化データＣＣＤ２を選択部１５２に出力する。暗号化部１４０ｃは、符号化部１３２ｃから受けた符号化データＣＤ３を暗号化して暗号化データＣＣＤ３を生成し、暗号化データＣＣＤ３を選択部１５２に出力する。暗号化部１４０ｄは、符号化部１３２ｄから受けた符号化データＣＤ４を暗号化して暗号化データＣＣＤ４を生成し、暗号化データＣＣＤ４を選択部１５２に出力する。
【０１６９】
多重化部１６０は、選択部１５２から受けた高周波数帯域の暗号化データＣＣＤ２−ＣＣＤｍ（暗号化された符号化データＣＣＤ２−ＣＣＤｍ）を多重化して送信部１７２に出力する。そして、送信部１７２は、多重化された暗号化データＣＣＤを画像処理装置２０３に送信する。
【０１７０】
次に、画像処理装置２０３について説明する。画像処理装置２０３は、複数の解除部２２２（２２２ｂ、２２２ｃ、２２２ｄ）が図２に示した画像処理装置２０１に追加されることを除いて、図２に示した画像処理装置２０１と同一または同様である。例えば、画像処理装置２０３は、受信部２１２、分離部２２０、複数の解除部２２２、複数の復号部２３２、複数の記憶部２４０、抽出部２４２、画像生成部２５２、表示制御部２７２および変更要求部２９２を有する。
【０１７１】
受信部２１２、分離部２２０、復号部２３２、記憶部２４０、画像生成部２５２および表示制御部２７２は、図２に示した受信部２１２、分離部２２０、復号部２３２、記憶部２４０、画像生成部２５２および表示制御部２７２と同一または同様である。このため、受信部２１２、分離部２２０、復号部２３２、記憶部２４０、画像生成部２５２および表示制御部２７２については、詳細な説明を省略する。
【０１７２】
複数の周波数帯域のうちの高周波数帯域の符号化データＣＤは、上述したように、暗号化されて送信側の画像処理装置１０３から送信される。したがって、受信部２１２は、変更要求ＣＲＥＱが画像処理装置２０３から画像処理装置１０３に送信された場合、変更要求ＣＲＥＱに基づいて選択された高周波数帯域の符号化データＣＤを暗号化した暗号化データＣＣＤを画像処理装置１０３から受ける。そして、受信部２１２は、変更要求ＣＲＥＱに基づいて画像処理装置１０１から送信された高周波数帯域の暗号化データＣＣＤを、分離部２２０に出力する。
【０１７３】
分離部２２０は、多重化された暗号化データＣＣＤを、多重化部１６０による多重化方法に対応する分離方法を用いて、各周波数帯域の暗号化データＣＣＤに分離する。そして、分離部２２０は、分離した暗号化データＣＣＤを、対応する解除部２２２に出力する。例えば、分離部２２０は、暗号化データＣＣＤ２を解除部２２２ｂに出力する。また、高周波数帯域の符号化データＣＤ２−ＣＤｍに符号化データＣＤ３が含まれている場合、分離部２２０は、暗号化データＣＣＤ３を解除部２２２ｃに出力する。また、高周波数帯域の符号化データＣＤ２−ＣＤｍに符号化データＣＤ４が含まれている場合、分離部２２０は、暗号化データＣＣＤ４を解除部２２２ｄに出力する。
【０１７４】
解除部２２２は、分離部２２０から受けた暗号化データＣＣＤの暗号を解除する。例えば、解除部２２２ｂは、暗号化データＣＣＤ２を分離部２２０から受けた場合、暗号化データＣＣＤ２の暗号を解除して符号化データＣＤ２を生成し、符号化データＣＤ２を復号部２３２ｂに出力する。解除部２２２ｃは、暗号化データＣＣＤ３を分離部２２０から受けた場合、暗号化データＣＣＤ３の暗号を解除して符号化データＣＤ３を生成し、符号化データＣＤ３を復号部２３２ｃに出力する。解除部２２２ｄは、暗号化データＣＣＤ４を分離部２２０から受けた場合、暗号化データＣＣＤ４の暗号を解除して符号化データＣＤ４を生成し、符号化データＣＤ４を復号部２３２ｄに出力する。
【０１７５】
このように、解除部２２２は、送信側の画像処理装置１０３から暗号化されて送信された符号化データＣＣＤの暗号を解除する。復号部２３２ｂ、２３２ｃ、２３２ｄは、暗号が解除された符号化データＣＤ２、ＣＤ３、ＣＤ４をそれぞれ分割データＦＤ２、ＦＤ３、ＦＤ４に復号し、分割データＦＤ２、ＦＤ３、ＦＤ４を記憶部２４０ｂ、２４０ｃ、２４０ｄにそれぞれ格納する。
【０１７６】
画像生成部２５２の周波数逆変換部２５６ｂは、記憶部２４０から受けた分割データＦＤを入力としてウェーブレット逆変換を実行し、第２の画像ＩＭＧ２を生成する。そして、周波数逆変換部２５６ｂは、第２の画像ＩＭＧ２を表示制御部２７２に出力する。これにより、第２の画像ＩＭＧ２が表示画面３００に表示される。
【０１７７】
このように、画像処理システムＳＹＳ５では、画像処理装置１０３は、変更要求ＣＲＥＱに基づいて選択した高周波数帯域の符号化データＣＤを暗号化して画像処理装置２０３に送信する。これにより、例えば、画像処理システムＳＹＳ５のユーザ以外の悪意のある第三者が画像処理装置２０３から送信される暗号化データＣＣＤ等を盗み見た場合でも、第１の画像ＩＭＧ１より高画質な第２の画像ＩＭＧ２が第三者に見られることを防止できる。この結果、例えば、画像ＩＭＧｉが人物を撮影した画像である場合、撮影された人物のプライバシーが保たれる。
【０１７８】
なお、画像処理装置１０３、２０３の構成は、図１３に示す例に限定されない。例えば、変更要求部２９２は、ログイン等の所定の手続きが実行された場合のみ、変更要求ＵＲＥＱを受け付けてもよい。また、暗号化部１４０および解除部２２２は、図６に示した画像処理装置１０２、２０２Ａにそれぞれ搭載されてもよい。あるいは、暗号化部１４０および解除部２２２は、図１０に示した画像処理装置１０２、２０２Ｂにそれぞれ搭載されてもよい。
【０１７９】
図１４は、図１３に示した送信側の画像処理装置１０３の動作の一例を示す。なお、図１４は、画像を受信側の画像処理装置２０３に送信する画像処理の一例を示す。図１４に示す動作は、ハードウェアのみで実現されてもよく、画像処理プログラム等のソフトウェアによりハードウェアを制御することにより実現されてもよい。例えば、画像処理プログラムは、図１４に示す動作をコンピュータに実行させてもよい。
【０１８０】
また、図１４に示す動作では、ステップＳ１５４が図４に示した動作に追加され、図４に示したステップＳ１６０の処理の代わりにステップＳ１６２の処理が実行される。その他の動作は、図４に示した動作と同一または同様である。図４で説明したステップと同一または同様のステップについては、同一または同様の符号を付し、これ等については、詳細な説明を省略する。
【０１８１】
ステップＳ１００−Ｓ１５０は、図４で説明したステップＳ１００−Ｓ１５０と同一または同様である。ステップＳ１５０の処理が実行された後、画像処理装置１０３の動作は、ステップＳ１５４に移る。
【０１８２】
ステップＳ１５４では、暗号化部１４０は、ステップＳ１５０で符号化された高周波数帯域の符号化データＣＤを暗号化して、高周波数帯域の暗号化データＣＣＤを生成する。
【０１８３】
次に、ステップＳ１６２では、送信部１７０は、ステップＳ１５４で生成された高周波数帯域の暗号化データＣＣＤを、受信側の画像処理装置２０３に送信する。ステップＳ１６２の処理が実行された後、画像処理装置１０３の動作は、ステップＳ１７０に移る。
【０１８４】
ステップＳ１７０は、図４で説明したステップＳ１７０と同一または同様である。なお、画像処理装置１０３の動作は、図１４に示す例に限定されない。
【０１８５】
図１５は、図１３に示した受信側の画像処理装置２０３の動作の一例を示す。なお、図１３は、送信側の画像処理装置１０３から送信された画像を表示画面３００に表示する画像処理の一例を示す。図１３に示す動作は、ハードウェアのみで実現されてもよく、画像処理プログラム等のソフトウェアによりハードウェアを制御することにより実現されてもよい。例えば、画像処理プログラムは、図１３に示す動作をコンピュータに実行させてもよい。
【０１８６】
また、図１５に示す動作では、図５に示したステップＳ２５０の処理の代わりにステップＳ２５４の処理が実行され、ステップＳ２５６が図５に示した動作に追加される。その他の動作は、図５に示した動作と同一または同様である。図５で説明したステップと同一または同様のステップについては、同一または同様の符号を付し、これ等については、詳細な説明を省略する。例えば、図１５に示す動作は、４つの周波数帯域の符号化データＣＤのうちの所定の周波数帯域より低い低周波数帯域の符号化データＣＤ１を受信部２１２が受信する度に実行される。すなわち、ステップＳ２００の処理が実行される前に、受信部２１２は、低周波数帯域の符号化データＣＤ１を送信側の画像処理装置１０３から受ける。
【０１８７】
ステップＳ２００−Ｓ２４０は、図５で説明したステップＳ２００−Ｓ２４０と同一または同様である。ステップＳ２４０の処理が実行された後、画像処理装置２０３の動作は、ステップＳ２５４に移る。
【０１８８】
ステップＳ２５４では、受信部２１２は、変更要求ＣＲＥＱで要求した画質に応じた高周波数帯域の符号化データＣＤを暗号化した暗号化データＣＣＤを、送信側の画像処理装置１０３から受ける。受信部２１２が受けた高周波数帯域の暗号化データＣＣＤは、分離部２２０で周波数帯域毎に分離され、周波数帯域に対応する解除部２２２に転送される。
【０１８９】
次に、ステップＳ２５６では、解除部２２２は、受信部２１２が受けた高周波数帯域の暗号化データＣＣＤの暗号を解除する。これにより、暗号が解除された高周波数帯域の符号化データＣＤが、周波数帯域に対応する復号部２３２に転送される。ステップＳ２５６の処理が実行された後、画像処理装置２０３の動作は、ステップＳ２６０に移る。
【０１９０】
ステップＳ２６０−Ｓ２８０は、図５で説明したステップＳ２６０−Ｓ２８０と同一または同様である。なお、画像処理装置２０３の動作は、図１５に示す例に限定されない。
【０１９１】
以上、図１３から図１５に示す実施形態においても、図２から図５に示した実施形態と同様の効果を得ることができる。例えば、画像処理装置１０３、２０３間の伝送路におけるデータ転送量の増加を抑制することができる。
【０１９２】
さらに、画像処理装置１０３は、変更要求ＣＲＥＱを画像処理装置２０３から受けた場合、変更要求ＣＲＥＱに基づいて選択した高周波数帯域の符号化データＣＤを暗号化して、高周波数帯域の暗号化データＣＣＤを生成する。そして、画像処理装置１０３は、高周波数帯域の暗号化データＣＣＤを画像処理装置２０３に送信する。これにより、例えば、画像処理システムＳＹＳ５のユーザ以外の悪意のある第三者が画像処理装置２０３から送信される暗号化データＣＣＤ等を盗み見た場合でも、第１の画像ＩＭＧ１より高画質な第２の画像ＩＭＧ２を第三者が生成することを防止できる。この結果、例えば、画像ＩＭＧｉが人物を撮影した画像である場合、撮影された人物のプライバシーが保たれる。
【０１９３】
図１６は、画像処理装置、画像処理方法および画像処理プログラムの別の実施形態を示す。図１から図１５で説明した要素と同一または同様の要素については、同一または同様の符号を付し、これ等については、詳細な説明を省略する。分割データＦＤの末尾の数字および符号化データＣＤの末尾の数字の意味は、図１で説明した分割データＦＤの末尾の数字および符号化データＣＤの末尾の数字の意味と同じである。例えば、分割データＦＤ１および符号化データＣＤ１は、４つの周波数帯域のうちの最も低い周波数帯域の分割データＦＤおよび符号化データＣＤをそれぞれ示す。また、分割データＦＤ４および符号化データＣＤ４は、４つの周波数帯域のうちの最も高い周波数帯域の分割データＦＤおよび符号化データＣＤをそれぞれ示す。
【０１９４】
図１６に示す画像処理システムＳＹＳ６は、図２に示した画像処理装置１０１、２０１の代わりに画像処理装置１０４、２０４を有し、画像を画像処理装置１０４から画像処理装置２０４に複数の伝送路を用いて伝送する。画像処理システムＳＹＳ６のその他の構成は、図２に示した画像処理システムＳＹＳ２と同一または同様である。例えば、画像処理システムＳＹＳ６は、伝送対象の画像ＩＭＧｉが記憶される記憶部１０と、表示画面３００を含む表示装置と、無線または有線の複数の伝送路を介して互いに通信可能に接続される画像処理装置１０４、２０４とを有する。画像処理装置１０４は、画像を受信側の画像処理装置２０４に複数の伝送路を用いて送信する。また、画像処理装置２０４は、送信側の画像処理装置１０４から複数の伝送路を用いて送信された画像を表示画面３００に表示する。図１６に示す画像処理装置１０４、２０４が実行する画像処理等の処理は、ハードウェアのみで実現されてもよく、画像処理プログラム等のソフトウェアによりハードウェアを制御することにより実現されてもよい。例えば、画像処理プログラムは、画像処理装置１０４、２０４の各々に搭載されるＣＰＵ等に画像処理を実行させてもよい。
【０１９５】
先ず、画像処理装置１０４について説明する。画像処理装置１０４では、図２に示した画像処理装置１０１から選択部１５２および多重化部１６０が省かれ、割り当て部１７４が画像処理装置１０１に追加される。また、画像処理装置１０４は、図２に示した送信部１７２の代わりに、複数の伝送路に対応した複数の送信部１７６（１７６ａ、１７６ｂ、１７６ｃ、１７６ｄ）を有する。画像処理装置１０４のその他の構成は、画像処理装置１０１と同一または同様である。例えば、画像処理装置１０４は、分割部１１０、複数の記憶部１２０、複数の符号化部１３２、割り当て部１７４および複数の送信部１７６を有する。分割部１１０、記憶部１２０および符号化部１３２は、図２に示した分割部１１０、記憶部１２０および符号化部１３２と同一または同様であるため、詳細な説明を省略する。
【０１９６】
分割部１１０は、記憶部１０から受けた画像ＩＭＧｉを４つの周波数帯域に分割して分割データＦＤ（ＦＤ１、ＦＤ２、ＦＤ３、ＦＤ４）を生成する。そして、分割部１１０は、４つの周波数帯域の分割データＦＤ１、ＦＤ２、ＦＤ３、ＦＤ４を４つの記憶部１２０ａ、１２０ｂ、１２０ｃ、１２０ｄにそれぞれ格納する。
【０１９７】
符号化部１３２は、複数の周波数帯域毎に、分割データＦＤを符号化して符号化データＣＤを生成する。例えば、符号化部１３２ａは、記憶部１２０ａに記憶された分割データＦＤ１を符号化して符号化データＣＤ１を生成し、符号化データＣＤ１を割り当て部１７４に出力する。符号化部１３２ｂは、記憶部１２０ｂに記憶された分割データＦＤ２を符号化して符号化データＣＤ２を生成し、符号化データＣＤ２を割り当て部１７４に出力する。符号化部１３２ｃは、記憶部１２０ｃに記憶された分割データＦＤ３を符号化して符号化データＣＤ３を生成し、符号化データＣＤ３を割り当て部１７４に出力する。符号化部１３２ｄは、記憶部１２０ｄに記憶された分割データＦＤ４を符号化して符号化データＣＤ４を生成し、符号化データＣＤ４を割り当て部１７４に出力する。
【０１９８】
割り当て部１７４は、複数の周波数帯域を周波数帯域が低い順に複数の伝送路のうちの高速な伝送路に割り当てる。例えば、割り当て部１７４は、４つの周波数帯域のうちの最も低い周波数帯域の符号化データＣＤ１を、複数の伝送路のうちの最も高速な伝送路に割り当てる。また、割り当て部１７４は、４つの周波数帯域のうちの２番目に低い周波数帯域の符号化データＣＤ２を、複数の伝送路のうちの２番目に高速な伝送路に割り当てる。割り当て部１７４は、４つの周波数帯域のうちの３番目に低い周波数帯域の符号化データＣＤ２を、複数の伝送路のうちの３番目に高速な伝送路に割り当てる。そして、割り当て部１７４は、４つの周波数帯域のうちの４番目に低い周波数帯域（すなわち、最も高い周波数帯域）の符号化データＣＤ４を、複数の伝送路のうちの４番目に高速な伝送路に割り当てる。このように、割り当て部１７４は、複数の周波数帯域の符号化データＣＤを周波数帯域が低い順に複数の伝送路のうちの高速な伝送路に割り当てる。
【０１９９】
送信部１７６（１７６ａ、１７６ｂ、１７６ｃ、１７６ｄ）は、複数の周波数帯域の符号化データＣＤを、割り当て部１７４により割り当てられた複数の伝送路を用いて、受信側の画像処理装置２０４に送信する。例えば、送信部１７６ａは、４つの周波数帯域のうちの最も低い周波数帯域の符号化データＣＤ１を、複数の伝送路のうちの最も高速な伝送路を用いて画像処理装置２０４に送信する。また、送信部１７６ｂは、４つの周波数帯域のうちの２番目に低い周波数帯域の符号化データＣＤ２を、複数の伝送路のうちの２番目に高速な伝送路を用いて画像処理装置２０４に送信する。送信部１７６ｃは、４つの周波数帯域のうちの３番目に低い周波数帯域の符号化データＣＤ３を、複数の伝送路のうちの３番目に高速な伝送路を用いて画像処理装置２０４に送信する。そして、送信部１７６ｄは、４つの周波数帯域のうちの４番目に低い周波数帯域（すなわち、最も高い周波数帯域）の符号化データＣＤ４を、複数の伝送路のうちの４番目に高速な伝送路を用いて画像処理装置２０４に送信する。
【０２００】
このように、画像処理装置１０４は、符号化データＣＤ１−ＣＤ４を複数の伝送路を用いて画像処理装置２０４に送信する。これにより、符号化データＣＤ１−ＣＤ４が１つの伝送路を用いて１回で送信される場合に比べて、画像処理装置１０４、２０４間の１つの伝送路におけるデータ転送量を低減することができる。
【０２０１】
次に、画像処理装置２０４について説明する。画像処理装置２０４では、図２に示した画像処理装置２０１から分離部２２０および変更要求部２９２が省かれる。また、画像処理装置２０４は、図２に示した受信部２１２の代わり、複数の伝送路に対応した複数の受信部２１４（２１４ａ、２１４ｂ、２１４ｃ、２１４ｄ）を有する。さらに、画像処理装置２０４は、図２に示した画像生成部２５２および表示制御部２７２の代わりに、画像生成部２５４および記憶部２７６を有する。画像処理装置２０４のその他の構成は、画像処理装置２０１と同一または同様である。例えば、画像処理装置２０４は、複数の受信部２１４、複数の復号部２３２、複数の記憶部２４０、画像生成部２５４および記憶部２７６を有する。
【０２０２】
受信部２１４（２１４ａ、２１４ｂ、２１４ｃ、２１４ｄ）は、複数の周波数帯域の符号化データＣＤを、送信側の画像処理装置１０４から複数の伝送路をそれぞれ介して受ける。例えば、受信部２１４ａは、４つの周波数帯域のうちの最も低い周波数帯域の符号化データＣＤ１を、複数の伝送路のうちの最も高速な伝送路を介して画像処理装置１０４から受ける。また、受信部２１４ｂは、４つの周波数帯域のうちの２番目に低い周波数帯域の符号化データＣＤ２を、複数の伝送路のうちの２番目に高速な伝送路を介して画像処理装置１０４から受ける。受信部２１４ｃは、４つの周波数帯域のうちの３番目に低い周波数帯域の符号化データＣＤ３を、複数の伝送路のうちの３番目に高速な伝送路を介して画像処理装置１０４から受ける。そして、受信部２１４ｄは、４つの周波数帯域のうちの４番目に低い周波数帯域（すなわち、最も高い周波数帯域）の符号化データＣＤ４を、複数の伝送路のうちの４番目に高速な伝送路を介して画像処理装置１０４から受ける。
【０２０３】
復号部２３２は、複数の周波数帯域毎に、符号化データＣＤを分割データＦＤに復号する。例えば、復号部２３２ａは、受信部２１４ａから受ける符号化データＣＤ１を分割データＦＤ１に復号し、分割データＦＤ１を記憶部２４０ａに格納する。また、復号部２３２ｂは、受信部２１４ｂから受ける符号化データＣＤ２を分割データＦＤ２に復号し、分割データＦＤ２を記憶部２４０ｂに格納する。復号部２３２ｃは、受信部２１４ｃから受ける符号化データＣＤ３を分割データＦＤ３に復号し、分割データＦＤ３を記憶部２４０ｃに格納する。そして、復号部２３２ｄは、受信部２１４ｄから受ける符号化データＣＤ４を分割データＦＤ４に復号し、分割データＦＤ４を記憶部２４０ｄに格納する。
【０２０４】
画像生成部２５４は、表示画面３００に表示する表示画像ＩＭＧｏ（以下、単に、画像ＩＭＧｏとも称する）を、複数の周波数帯域の分割データＦＤを用いて生成する。例えば、画像生成部２５４は、周波数逆変換部２５６を有する。周波数逆変換部２５６は、４つの記憶部２４０にそれぞれ記憶された４つの周波数帯域の分割データＦＤ１−ＦＤ４を入力としてウェーブレット逆変換を実行し、画像ＩＭＧｏを生成する。画像ＩＭＧｏは、全ての周波数帯域の分割データＦＤ１−ＦＤ４を用いて生成されるため、元の画像ＩＭＧｉの画質と同一またはほぼ同一の画質を有する。周波数逆変換部２５６は、画像ＩＭＧｏを記憶部２７６に格納する。これにより、画像ＩＭＧｏが表示画面３００に表示される。
【０２０５】
このように、画像処理システムＳＹＳ６では、画像処理装置１０４は、符号化データＣＤ１−ＣＤ４を複数の伝送路を用いて画像処理装置２０４に送信する。これにより、符号化データＣＤ１−ＣＤ４が１つの伝送路を用いて１回で送信される場合に比べて、画像処理装置１０４、２０４間の１つの伝送路におけるデータ転送量を低減することができる。
【０２０６】
また、画像処理装置１０４は、複数の周波数帯域の符号化データＣＤを周波数帯域が低い順に複数の伝送路のうちの高速な伝送路に割り当てる。伝送路は、高速になるにしたがい品質が高くなる。このため、複数の周波数帯域の符号化データＣＤのうちの低域側の符号化データＣＤ（例えば、符号化データＣＤ１）が送信中に破壊されることを、高域側の符号化データＣＤ（例えば、符号化データＣＤ４）に比べて、低減できる。
【０２０７】
これに対し、例えば、全ての周波数帯域の符号化データＣＤが１つの伝送路を用いて１回で送信される場合、低域側の符号化データＣＤが壊れる確率が高くなるおそれがある。低域側の符号化データＣＤが壊れた場合、画像処理装置２０４で生成される画像ＩＭＧｏは、画像全体が壊れるため、表示画面３００に表示する画像として成立しない。
【０２０８】
なお、例えば、高域側の周波数帯域の符号化データＣＤが壊れた場合でも、低域側の符号化データＣＤが壊れていなければ、画像処理装置２０４で生成される画像ＩＭＧｏは、ぼやける程度であるため、表示画面３００に表示する画像として成立する。したがって、画像処理システムＳＹＳ６では、画像処理装置２０４で生成される画像ＩＭＧｏの全体が壊れることを抑止できる。
【０２０９】
なお、画像処理装置１０４、２０４の構成は、図１６に示す例に限定されない。例えば、画像処理装置１０４、２０４間の伝送路の数は、周波数帯域の分割数（図１６に示す例では、４つ）より少なくてもよい。この場合、割り当て部１７４は、複数の周波数帯域の符号化データＣＤのうちの高速側の複数の符号化データＣＤ（例えば、符号化データＣＤ３、ＣＤ４）を１つの伝送路に割り当ててもよい。
【０２１０】
図１７は、図１６に示した送信側の画像処理装置１０４の動作の一例を示す。なお、図１７は、画像を受信側の画像処理装置２０４に送信する画像処理の一例を示す。図１７に示す動作は、ハードウェアのみで実現されてもよく、画像処理プログラム等のソフトウェアによりハードウェアを制御することにより実現されてもよい。例えば、画像処理プログラムは、図１７に示す動作をコンピュータに実行させてもよい。図４等で説明したステップと同一または同様のステップについては、同一または同様の符号を付し、これ等については、詳細な説明を省略する。
【０２１１】
ステップＳ１００では、分割部１１０は、画像ＩＭＧｉを４つの周波数帯域に分割して分割データＦＤを生成する。
【０２１２】
次に、ステップＳ１１２では、符号化部１３２は、周波数帯域毎に、分割データＦＤを符号化する。これにより、複数の周波数帯域の符号化データＣＤが生成される。
【０２１３】
次に、ステップＳ１２２では、割り当て部１７４は、複数の周波数帯域を周波数帯域が低い順に複数の伝送路のうちの高速な伝送路に割り当てる。
【０２１４】
次に、ステップＳ１２４では、送信部１７６は、複数の周波数帯域の符号化データＣＤを、ステップＳ１２２で割り当てられた複数の伝送路を用いて画像処理装置２０４に送信する。これにより、画像ＩＭＧｉを受信側の画像処理装置２０４に送信する画像処理は、終了する。なお、画像処理装置１０４の動作は、図１７に示す例に限定されない。
【０２１５】
図１８は、図１６に示した受信側の画像処理装置２０４の動作の一例を示す。なお、図１８は、送信側の画像処理装置１０４から送信された画像を表示画面３００に表示する画像処理の一例を示す。図１８に示す動作は、ハードウェアのみで実現されてもよく、画像処理プログラム等のソフトウェアによりハードウェアを制御することにより実現されてもよい。例えば、画像処理プログラムは、図１８に示す動作をコンピュータに実行させてもよい。
【０２１６】
ステップＳ２０２では、受信部２１４は、複数の周波数帯域の符号化データＣＤを画像処理装置１０４から複数の伝送路を介して受ける。
【０２１７】
次に、ステップＳ２０４では、復号部２３２は、複数の周波数帯域毎に、受信部２１２が受けた符号化データＣＤを分割データＦＤに復号する。
【０２１８】
次に、ステップＳ２１２では、画像生成部２５４の周波数逆変換部２５６は、ステップＳ２０４で復号された分割データＦＤを用いて画像ＩＭＧｏを生成する。例えば、周波数逆変換部２５６は、ステップＳ２０４で復号された複数の周波数帯域の分割データＦＤを入力としてウェーブレット逆変換を実行し、画像ＩＭＧｏを生成する。
【０２１９】
次に、ステップＳ２２２では、画像処理装置２０４は、ステップＳ２１２で生成された画像ＩＭＧｏを表示画面３００に表示する。これにより、送信側の画像処理装置１０４から送信された画像ＩＭＧｉを表示画面３００に表示する画像処理は、終了する。なお、画像処理装置２０４の動作は、図１８に示す例に限定されない。
【０２２０】
以上、図１６から図１８に示す実施形態では、送信側の画像処理装置１０４は、画像ＩＭＧｉを複数の周波数帯域に分割して分割データＦＤを生成し、複数の周波数帯域毎に分割データＦＤを符号化して符号化データＣＤを生成する。そして、画像処理装置１０４は、複数の周波数帯域を周波数帯域が低い順に複数の伝送路のうちの高速な伝送路に割り当て、複数の周波数帯域の符号化データを複数の伝送路を用いて受信側の画像処理装置２０４に送信する。
【０２２１】
これにより、複数の符号化データＣＤが１つの伝送路を用いて１回で送信される場合に比べて、画像処理装置１０４、２０４間の１つの伝送路におけるデータ転送量を低減することができる。また、複数の周波数帯域の符号化データＣＤのうちの低域側の符号化データＣＤ（例えば、符号化データＣＤ１）は、高域側の符号化データＣＤ（例えば、符号化データＣＤ４）に比べて、高速な伝送路に割り当てられる。このため、低域側の周波数帯域の符号化データＣＤが送信中に破壊されることを、高域側の周波数帯域の符号化データＣＤに比べて、低減できる。この結果、表示画面３００に表示する画像ＩＭＧｏの全体が壊れることを低減できる。
【０２２２】
一方、受信側の画像処理装置２０４は、複数の周波数帯域の符号化データＣＤを送信側の画像処理装置１０４から複数の伝送路をそれぞれ介して受け、複数の周波数帯域毎に符号化データＣＤを分割データＦＤに復号する。そして、画像処理装置２０４は、表示画面３００に表示する画像ＩＭＧｏを、複数の周波数帯域の分割データＦＤを用いて生成する。
【０２２３】
図１９は、画像処理プログラムを実行するハードウェアの一例を示す。なお、図１から図１８で説明した要素と同一または同様の要素については、同一または同様の符号を付し、これ等については、詳細な説明を省略する。例えば、画像処理プログラムは、図１、図２、図６、図１０、図１３および図１６に示した画像処理装置１００、１０１、１０２、１０３、１０４、２００、２０１、２０２Ａ、２０２Ｂ、２０３、２０４の機能をコンピュータＣＰで実現する。
【０２２４】
コンピュータＣＰは、プロセッサＰＵ、メモリＭＥＭ、ハードディスク装置ＨＤＤ、出力部ＯＵＴＵ、入力部ＩＮＵおよび光学ドライブ装置ＯＤＲを有する。プロセッサＰＵ、メモリＭＥＭ、ハードディスク装置ＨＤＤ、出力部ＯＵＴＵ、入力部ＩＮＵおよび光学ドライブ装置ＯＤＲは、バスＢＵＳに接続される。画像処理装置１００、１０１、１０２、１０３、１０４、２００、２０１、２０２Ａ、２０２Ｂ、２０３、２０４の機能は、例えば、プロセッサＰＵ、メモリＭＥＭおよびハードディスク装置ＨＤＤにより実現される。
【０２２５】
光学ドライブ装置ＯＤＲは、光ディスク等のリムーバブルディスクＤＩＳを装着可能であり、装着したリムーバブルディスクＤＩＳに記録された情報の読み出しおよび記録を実行する。
【０２２６】
出力部ＯＵＴＵは、例えば、プロセッサＰＵにより実行された処理の結果を出力するユニットであり、図１等に示した表示画面３００を含む表示装置に対応する。出力部ＯＵＴＵの一例は、ディスプレイ、タッチパネル等である。また、入力部ＩＮＵは、例えば、ユーザからの操作を受け、コンピュータＣＰにデータを入力するユニットである。入力部ＩＮＵの一例は、キーボード、マウス、タッチパネル等である。
【０２２７】
メモリＭＥＭは、例えば、コンピュータＣＰのオペレーティングシステムを格納する。また、メモリＭＥＭは、例えば、図４、図５、図８、図９、図１２、図１４、図１５、図１７、図１８等に示した動作をプロセッサＰＵが実行するための画像処理プログラム等のアプリケーションプログラムを格納する。なお、画像処理プログラム等のアプリケーションプログラムは、ハードディスク装置ＨＤＤに格納されてもよい。
【０２２８】
また、メモリＭＥＭの一部の領域は、図２等に示した記憶部１２０、２４０、２７４等に割り当てられてもよい。あるいは、メモリＭＥＭとは別の記憶装置（図示せず）に、図２等に示した記憶部１２０、２４０、２７４等が割り当てられてもよい。
【０２２９】
画像処理プログラム等のアプリケーションプログラムは、例えば、光ディスク等のリムーバブルディスクＤＩＳに記録して頒布することができる。例えば、コンピュータＣＰは、画像処理プログラム等のアプリケーションプログラムを、リムーバブルディスクＤＩＳから光学ドライブ装置ＯＤＲを介して読み出し、メモリＭＥＭやハードディスク装置ＨＤＤに格納してもよい。また、コンピュータＣＰは、画像処理プログラム等のアプリケーションプログラムを、インターネット等のネットワークに接続する通信装置（図示せず）を介してダウンロードし、メモリＭＥＭやハードディスク装置ＨＤＤに格納してもよい。
【０２３０】
例えば、プロセッサＰＵは、メモリＭＥＭ等に格納された画像処理プログラムを実行することにより、図１、図２、図６、図１３および図１６に示した画像処理装置１００、１０１、１０２、１０３、１０４を実現する。あるいは、プロセッサＰＵは、メモリＭＥＭ等に格納された画像処理プログラムを実行することにより、図１、図２、図６、図１０、図１３および図１６に示した画像処理装置２００、２０１、２０２Ａ、２０２Ｂ、２０３、２０４を実現する。すなわち、画像処理装置１００、１０１、１０２、１０３、１０４、２００、２０１、２０２Ａ、２０２Ｂ、２０３、２０４は、プロセッサＰＵ、メモリＭＥＭおよびハードディスク装置ＨＤＤの協同により実現することができる。
【０２３１】
なお、画像処理プログラムを実行するハードウェアは、図１９に示す例に限定されない。例えば、コンピュータＣＰは、入力部ＩＮＵおよび出力部ＯＵＴＵの代わりに、タッチパネル等の入出力部を有してもよい。
【０２３２】
以上の実施形態において説明した発明を整理して、付記として開示する。
（付記１）
画像を受信側の画像処理装置に送信する画像処理装置において、
画像を複数の周波数帯域に分割して分割データを生成する分割部と、
前記複数の周波数帯域毎に、分割データを符号化して符号化データを生成する符号化部と、
前記受信側の画像処理装置からの画質の変更を要求する変更要求に応答して、前記複数の周波数帯域のうち、所定の周波数帯域より高い高周波数帯域から、前記変更要求により要求された画質に対応する周波数帯域を選択する選択部と、
前記高周波数帯域より低い低周波数帯域の符号化データが前記受信側の画像処理装置に送信された後に、前記選択部が前記変更要求を受けた場合、前記選択部により選択された周波数帯域の符号化データを前記受信側の画像処理装置に送信する送信部と
を有することを特徴とする画像処理装置。
（付記２）
付記１に記載の画像処理装置において、
前記低周波数帯域は、前記複数の周波数帯域のうちの最も低い周波数帯域である
ことを特徴とする画像処理装置。
（付記３）
付記１または付記２に記載の画像処理装置において、
前記変更要求で画質が変更される領域を示す領域情報を前記受信側の画像処理装置から受けた場合、前記高周波数帯域における前記領域の分割データを抽出する抽出部をさらに有し、
前記符号化部は、前記抽出部が前記領域情報を受けた場合、前記抽出部により抽出された前記領域の分割データを符号化する
ことを特徴とする画像処理装置。
（付記４）
付記１ないし付記３のいずれか１項に記載の画像処理装置において、
前記符号化部は、前記選択部が前記変更要求を受けるまで、前記高周波数帯域の分割データを符号化する処理を待機し、前記選択部が前記変更要求を受けた場合、前記高周波数帯域の分割データを周波数帯域毎に符号化して符号化データを生成する
ことを特徴とする画像処理装置。
（付記５）
付記１ないし付記４のいずれか１項に記載の画像処理装置において、
前記受信側の画像処理装置に送信する符号化データのうち、前記高周波数帯域の符号化データを暗号化する暗号化部をさらに有する
ことを特徴とする画像処理装置。
（付記６）
画像を受信側の画像処理装置に送信する画像処理装置において、
画像を複数の周波数帯域に分割して分割データを生成する分割部と、
前記複数の周波数帯域毎に、分割データを符号化して符号化データを生成する符号化部と、
前記複数の周波数帯域を周波数帯域が低い順に複数の伝送路のうちの高速な伝送路に割り当てる割り当て部と、
前記複数の周波数帯域の符号化データを、前記割り当て部により割り当てられた前記複数の伝送路を用いて、前記受信側の画像処理装置に送信する送信部と
を有することを特徴とする画像処理装置。
（付記７）
送信側の画像処理装置から送信された画像を表示画面に表示する画像処理装置において、
画像を複数の周波数帯域に分割した分割データを符号化して生成される複数の周波数帯域の符号化データのうちの少なくともいずれかを前記送信側の画像処理装置から受ける受信部と、
前記受信部が受けた符号化データを分割データに復号する復号部と、
前記表示画面に表示された画像の画質を変更する場合、画質の変更を要求する変更要求を前記送信側の画像処理装置に出力する変更要求部と、
前記複数の周波数帯域のうちの所定の周波数帯域より低い低周波数帯域の符号化データを復号して生成された分割データを用いて第１の画像を生成し、該第１の画像を生成した後に、前記変更要求部が前記変更要求を前記送信側の画像処理装置に出力したことに応答して前記送信側の画像処理装置から送信される前記低周波数帯域より高い高周波数帯域の符号化データを前記受信部が受けた場合、前記高周波数帯域の符号化データを復号して生成された分割データと前記低周波数帯域の分割データとを用いて第２の画像を生成する画像生成部と、
前記第１の画像を前記表示画面に表示し、前記第１の画像を前記表示画面に表示した後に、前記第２の画像が生成された場合、前記第２の画像を前記表示画面に表示する表示制御部と
を有することを特徴とする画像処理装置。
（付記８）
付記７に記載の画像処理装置において、
前記第２の画像を前記第１の画像に合成して合成画像を生成する合成部と、
前記第１の画像内の一部の領域に対する画質の変更を前記変更要求部が要求する場合、前記低周波数帯域の分割データから前記一部の領域に対応する分割データを抽出する抽出部とをさらに有し、
前記変更要求部は、前記一部の領域に対する画質の変更を要求する場合、前記一部の領域を示す領域情報を前記変更要求とともに前記送信側の画像処理装置に出力し、
前記受信部は、前記変更要求および前記領域情報に基づいて前記送信側の画像処理装置から送信される前記高周波数帯域における前記一部の領域の符号化データを受け、
前記復号部は、前記受信部が前記高周波数帯域における前記一部の領域の符号化データを前記送信側の画像処理装置から受けた場合、前記高周波数帯域における前記一部の領域の符号化データを復号し、
前記画像生成部は、前記第２の画像として前記一部の領域の画像を、前記低周波数帯域における前記一部の領域の分割データと前記高周波数帯域における前記一部の領域の分割データとを用いて生成し、
前記表示制御部は、前記第２の画像が生成された場合、前記合成画像を前記表示画面に表示する
ことを特徴とする画像処理装置。
（付記９）
付記８に記載の画像処理装置において、
前記変更要求部が前記変更要求を前記送信側の画像処理装置に出力した場合、前記第１の画像における前記一部の領域のサイズが前記第２の画像のサイズに合うように、前記第１の画像を拡大する拡大部をさらに有し、
前記合成部は、前記第２の画像を拡大後の前記第１の画像に合成して前記合成画像を生成する
ことを特徴とする画像処理装置。
（付記１０）
付記７ないし付記９のいずれか１項に記載の画像処理装置において、
前記複数の周波数帯域のうちの前記高周波数帯域の符号化データは、暗号化されて前記送信側の画像処理装置から送信され、
前記送信側の画像処理装置から暗号化されて送信された符号化データの暗号を解除する解除部をさらに有する
ことを特徴とする画像処理装置。
（付記１１）
送信側の画像処理装置から送信された画像を表示画面に表示する画像処理装置において、
画像を複数の周波数帯域に分割した分割データを符号化して生成される複数の周波数帯域の符号化データを、前記送信側の画像処理装置から複数の伝送路をそれぞれ介して受ける複数の受信部と、
前記複数の周波数帯域毎に、符号化データを分割データに復号する復号部と、
前記表示画面に表示する画像を、前記複数の周波数帯域の分割データを用いて生成する画像生成部と
を有することを特徴とする画像処理装置。
（付記１２）
画像を受信側の画像処理装置に送信する画像処理方法において、
画像を複数の周波数帯域に分割して分割データを生成し、
前記複数の周波数帯域毎に、分割データを符号化して符号化データを生成し、
前記複数の周波数帯域のうちの所定の周波数帯域より低い低周波数帯域の符号化データを前記受信側の画像処理装置に送信し、
前記受信側の画像処理装置からの画質の変更を要求する変更要求に応答して、前記複数の周波数帯域のうち、前記低周波数帯域より高い周波数帯域を選択対象として、前記変更要求により要求された画質に対応する周波数帯域を選択し、
選択した周波数帯域の符号化データを前記受信側の画像処理装置に送信する
ことを特徴とする画像処理方法。
（付記１３）
画像を受信側の画像処理装置に複数の伝送路を用いて送信する画像処理方法において、
画像を複数の周波数帯域に分割して分割データを生成し、
前記複数の周波数帯域毎に、分割データを符号化して符号化データを生成し、
前記複数の周波数帯域を周波数帯域が低い順に前記複数の伝送路のうちの高速な伝送路に割り当て、前記複数の周波数帯域の符号化データを前記複数の伝送路を用いて前記受信側の画像処理装置に送信する
ことを特徴とする画像処理方法。
（付記１４）
送信側の画像処理装置から送信された画像を表示画面に表示する画像処理方法において、
画像を複数の周波数帯域に分割した分割データを符号化して生成される複数の周波数帯域の符号化データのうちの所定の周波数帯域より低い低周波数帯域の符号化データを前記送信側の画像処理装置から受け、
前記低周波数帯域の符号化データを分割データに復号し、
前記低周波数帯域の分割データを用いて第１の画像を生成し、
前記第１の画像を前記表示画面に表示し、
前記表示画面に表示された画像の画質を変更する場合、画質の変更を要求する変更要求を前記送信側の画像処理装置に出力し、
前記変更要求に応じて前記送信側の画像処理装置から受けた前記低周波数帯域より高い高周波数帯域の符号化データを分割データに復号し、
前記低周波数帯域の分割データと前記高周波数帯域の分割データとを用いて第２の画像を生成し、
前記第２の画像を前記表示画面に表示する
ことを特徴とする画像処理方法。
（付記１５）
送信側の画像処理装置から送信された画像を表示画面に表示する画像処理方法において、
画像を複数の周波数帯域に分割した分割データを符号化して生成される複数の周波数帯域の符号化データを、前記送信側の画像処理装置から複数の伝送路をそれぞれ介して受け、
前記複数の周波数帯域毎に、符号化データを分割データに復号し、
前記表示画面に表示する画像を、前記複数の周波数帯域の分割データを用いて生成する
ことを特徴とする画像処理方法。
（付記１６）
画像を受信側の画像処理装置に送信する画像処理をコンピュータに実行させる画像処理プログラムにおいて、
画像を複数の周波数帯域に分割して分割データを生成し、
前記複数の周波数帯域毎に、分割データを符号化して符号化データを生成し、
前記複数の周波数帯域のうちの所定の周波数帯域より低い低周波数帯域の符号化データを前記受信側の画像処理装置に送信し、
前記受信側の画像処理装置からの画質の変更を要求する変更要求に応答して、前記複数の周波数帯域のうち、前記低周波数帯域より高い周波数帯域を選択対象として、前記変更要求により要求された画質に対応する周波数帯域を選択し、
選択した周波数帯域の符号化データを前記受信側の画像処理装置に送信する
ことを特徴とする画像処理プログラム。
（付記１７）
画像を受信側の画像処理装置に複数の伝送路を用いて送信する画像処理をコンピュータに実行させる画像処理プログラムにおいて、
画像を複数の周波数帯域に分割して分割データを生成し、
前記複数の周波数帯域毎に、分割データを符号化して符号化データを生成し、
前記複数の周波数帯域を周波数帯域が低い順に前記複数の伝送路のうちの高速な伝送路に割り当て、前記複数の周波数帯域の符号化データを前記複数の伝送路を用いて前記受信側の画像処理装置に送信する
ことを特徴とする画像処理プログラム。
（付記１８）
送信側の画像処理装置から送信された画像を表示画面に表示する画像処理をコンピュータに実行させる画像処理プログラムにおいて、
画像を複数の周波数帯域に分割した分割データを符号化して生成される複数の周波数帯域の符号化データのうちの所定の周波数帯域より低い低周波数帯域の符号化データを前記送信側の画像処理装置から受け、
前記低周波数帯域の符号化データを分割データに復号し、
前記低周波数帯域の分割データを用いて第１の画像を生成し、
前記第１の画像を前記表示画面に表示し、
前記表示画面に表示された画像の画質を変更する場合、画質の変更を要求する変更要求を前記送信側の画像処理装置に出力し、
前記変更要求に応じて前記送信側の画像処理装置から受けた前記低周波数帯域より高い高周波数帯域の符号化データを分割データに復号し、
前記低周波数帯域の分割データと前記高周波数帯域の分割データとを用いて第２の画像を生成し、前記第２の画像を前記表示画面に表示する
ことを特徴とする画像処理プログラム。
（付記１９）
送信側の画像処理装置から送信された画像を表示画面に表示する画像処理をコンピュータに実行させる画像処理プログラムにおいて、
画像を複数の周波数帯域に分割した分割データを符号化して生成される複数の周波数帯域の符号化データを、前記送信側の画像処理装置から複数の伝送路をそれぞれ介して受け、
前記複数の周波数帯域毎に、符号化データを分割データに復号し、
前記表示画面に表示する画像を、前記複数の周波数帯域の分割データを用いて生成する
ことを特徴とする画像処理プログラム。
【０２３３】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【０２３４】
１０、１２０、２４０、２７４、２７６‥記憶部；１００、１０１、１０２、１０３、１０４、２００、２０１、２０２Ａ、２０２Ｂ、２０３、２０４‥画像処理装置；１１０‥分割部；１２２、２４２‥抽出部；１３０、１３２‥符号化部；１４０‥暗号化部；１５０、１５２‥選択部；１６０‥多重化部；１７０、１７２、１７６‥送信部；１７４‥割り当て部；２１０、２１２、２１４‥受信部；２２０‥分離部；２２２‥解除部；２３０、２３２‥復号部；２５０、２５２、２５４‥画像生成部；２６０、２６４‥合成部；２６２‥拡大部；２５６‥周波数逆変換部；２７０、２７２‥表示制御部；２９０、２９２、２９４‥変更要求部；３００‥表示画面；ＣＰ‥コンピュータ；ＤＩＳ‥リムーバブルディスク；ＨＤＤ‥ハードディスク装置；ＩＮＵ‥入力部；ＭＥＭ‥メモリ；ＯＤＲ‥光学ドライブ装置；ＯＵＴＵ‥出力部；ＰＵ‥プロセッサ；ＳＹＳ１、ＳＹＳ２、ＳＹＳ３、ＳＹＳ４、ＳＹＳ５、ＳＹＳ６‥画像処理システム
【図１】
2017228902.tif 000003
【図２】
2017228902.tif 000004
【図３】
2017228902.tif 000005
【図４】
2017228902.tif 000006
【図５】
2017228902.tif 000007
【図６】
2017228902.tif 000008
【図７】
2017228902.tif 000009
【図８】
2017228902.tif 000010
【図９】
2017228902.tif 000011
【図１０】
2017228902.tif 000012
【図１１】
2017228902.tif 000013
【図１２】
2017228902.tif 000014
【図１３】
2017228902.tif 000015
【図１４】
2017228902.tif 000016
【図１５】
2017228902.tif 000017
【図１６】
2017228902.tif 000018
【図１７】
2017228902.tif 000019
【図１８】
2017228902.tif 000020
【図１９】
2017228902.tif 000021